(57)【特許請求の範囲】
【請求項１】
マーケティングシステムにより、複数のマーケティングネットワークの複数の参加者間の複数のマーケティング活動の集中型管理を容易にするための、コンピュータで実行される方法であって、前記複数のマーケティング活動は、少なくとも、マーケティングコンテンツが提示されることとなる一人以上の消費者の決定と、前記一人以上の消費者に対するマーケティングコンテンツの提供を含み、前記コンピュータはプロセッサと前記プロセッサに接続されるメモリーとを備えており、前記方法は、
前記プロセッサによって、前記マーケティングシステムに、前記複数の参加者の各々を第１の参加カテゴリーまたは第２の参加カテゴリーの内の一つにあるものとして登録するステップであって、前記第１の参加カテゴリーに登録された登録済み参加者は、前記一人以上の消費者に販売するための一つ以上の製品またはサービスの提供元を含み、前記第２の参加カテゴリーに登録された登録済み参加者は、前記一人以上の消費者の少なくとも一部に対する前記一つ以上の製品またはサービスのリセラーを含む、ステップと、
前記メモリーに保存され、複数の参加者記録を保存するように作動するデータベースを提供するステップであって、前記複数の参加者記録の各々が、複数の前記登録済み参加者の一人と関連付けられ、関連付けられた参加者を前記第１または第２の参加カテゴリーのうちの一つに登録されているものとして特徴づける参加者データを保存し、前記複数の参加者記録の各々が、更に、前記複数のマーケティングネットワークのうち少なくとも一つのマーケティングネットワークに属する前記関連付けられた参加者を表示するネットワークデータを保存するようになされている、ステップと、
第１のマーケティングコンテンツとそれに関連する第１のコンテンツ規則を前記第１の参加カテゴリーに登録された第１の登録済み参加者から受け取り、前記データベースに前記第１のマーケティングコンテンツ及び第１のコンテンツ規則を保存し、保存された前記第１のマーケティングコンテンツに対するアクセスを、前記第１の参加カテゴリーには登録されていないが、前記第１のコンテンツ規則に従い前記第１の登録済み参加者が帰属している前記複数のマーケティングネットワークの中の第１のマーケティングネットワークに属する他の登録済み参加者のうちの少なくとも第１の集団に許可する、ステップと、
第１の資金データおよびそれに関連する第１の資金規則を前記第１の登録済み参加者から受け取り、前記第１の資金データおよび前記第１の資金規則を前記データベースに保存するステップであって、前記第１の資金データは、前記第１の資金規則に従って前記第１のマーケティングコンテンツに対して前記他の登録済み参加者の前記第１の集団の少なくとも一人の登録済み参加者によって前記複数のマーケティング活動のうちの少なくとも一つの少なくとも一部に間接的にでも資金を提供するために利用可能な第１の資金を規定している、ステップと
を含む、コンピュータで実行される方法。
【請求項２】
前記登録するステップは、更に、前記マーケティングシステムに、前記第１の参加カテゴリー、前記第２の参加カテゴリー、又は第３の参加カテゴリーの内の一つにあるものとして、前記複数の参加者の各々を登録することも含み、前記第３の参加カテゴリーに登録された参加者は、前記第１の参加カテゴリーに登録された参加者から得た一つ以上の製品又はサービスを、前記第２の参加カテゴリーに登録された一人以上の参加者によって一人以上の消費者の少なくとも一部に販売することを容易にするものを有する、請求項１に記載のコンピュータで実行される方法。
【請求項３】
前記複数のマーケティングネットワークの各々が前記第１の参加カテゴリーに登録されたただ一人の参加者と第２の参加カテゴリーに登録された少なくとも一人の参加者を有する、請求項２に記載のコンピュータで実行される方法。
【請求項４】
さらに、第２のマーケティングコンテンツ及びそれに関連する第２のコンテンツ規則を前記第３の参加カテゴリーに登録された第２の登録済み参加者から受け取り、前記第２のマーケティングコンテンツ及び前記第２のコンテンツ規則を前記データベースに保存し、保存された前記第２のマーケティングコンテンツに対するアクセスを、前記第２のコンテンツ規則に従い前記第２の登録済み参加者が属する前記複数のマーケティングネットワークの第２のマーケティングネットワークに属する前記複数の登録済み参加者のうちの他の登録済み参加者の少なくとも第２の集団に許容する、ステップを含む、請求項２に記載のコンピュータで実行される方法。
【請求項５】
更に、第２の資金データ及びそれに関連する第２の資金規則を前記第２の登録済み参加者から受け取り、前記第２の資金データ及び第２の資金規則を前記データベースに保存するステップであって、前記第２の資金データは、前記第２の資金規則に従って前記第２のマーケティングコンテンツに対して、前記他の登録済み参加者の前記第２の集団の少なくとも一人の登録済み参加者によって前記複数のマーケティング活動のうちの少なくとも一つの少なくとも一部に間接的にでも資金を提供するために利用可能な第２の資金を規定している、ステップを含む、請求項４に記載のコンピュータで実行される方法。
【請求項６】
前記第１の資金データが、更に、前記第１の資金規則に従って前記第２のマーケティングコンテンツに対して、前記他の登録済み参加者の前記第２の集団の少なくとも一人の登録済み参加者によって前記複数のマーケティング活動のうちの少なくとも一つの少なくとも一部に間接的にでも資金を提供するために利用可能な第３の資金を規定する、請求項５に記載のコンピュータで実行される方法。
【請求項７】
更に、第２の資金データ及びそれに関連する第２の資金規則を前記第２の登録済み参加者から受け取り、前記第２の資金データおよび前記第２の資金規則を前記データベースに保存するステップであって、前記第２の資金データは、前記第１の資金規則に従って前記第１のマーケティングコンテンツに対して、前記他の登録済み参加者の前記第１の集団の少なくとも一人の登録済み参加者が前記複数のマーケティング活動のうちの少なくとも一つの少なくとも一部に間接的にでも資金を提供するために利用可能な第２の資金を規定している、ステップを含む、請求項４に記載のコンピュータで実行される方法。
【請求項８】
コンタクトデータ及びそれに関連するコンタクト規則を、前記第１の参加カテゴリーに登録された第２の登録済み参加者から受け取り、前記コンタクトデータ及び前記コンタクト規則を前記データベースに保存し、保存された前記コンタクトデータへのアクセスを、前記コンタクト規則に従って、前記他の登録済み参加者の少なくとも前記第１の集団に許容するステップを含む、請求項１に記載のコンピュータで実行される方法。
【請求項９】
前記コンタクトデータは、前記マーケティングコンテンツが提示される前記一人以上の消費者を識別することを含み、前記コンタクト規則は、前記一人以上の消費者の第１の集団を識別する前記コンタクトデータの少なくとも一部が、前記マーケティングコンテンツを前記一人以上の消費者の前記第１の集団に提示するために、前記他の登録済み参加者の前記第１の集団の登録済み参加者の何れかによって独占的にアクセスされる第１の期間と、前記一人以上の消費者の第２の集団を識別する前記コンタクトデータの少なくとも一部が、前記一人以上の消費者の前記第２の集団に対する前記マーケティングコンテンツの提示に続いて、前記他の登録済み参加者の前記第１の集団の登録済み参加者の何れかによって独占的にアクセスされる第２の期間と、前記一人以上の消費者の第３の集団を識別する前記コンタクトデータの少なくとも一部が、提示された前記マーケティングコンテンツに関心を示した前記一人以上の消費者の前記第３の集団に対する前記マーケティングコンテンツの前記提示に続いて、前記他の登録済み参加者の前記第１の集団の登録済み参加者の何れかによって独占にアクセスされる第３の期間、又はその組み合わせを定める、請求項８に記載のコンピュータで実行される方法。
【請求項１０】
更に、コンタクトデータ及びそれに関連するコンタクト規則を前記第２の参加カテゴリーに登録済みの第２の参加者から受け取り、前記コンタクトデータ及び前記コンタクト規則を前記データベースに保存し、複数の前記登録済み参加者のうちの他の登録済み参加者によって保存された前記コンタクトデータへのアクセスを防ぐステップを含む、請求項１に記載のコンピュータで実行される方法。
【請求項１１】
一人の登録済み参加者から、前記複数のマーケティングネットワークの少なくとも一つのマーケティングネットワークに加わることの表示を受け取り、それに従って、前記参加者記録の各々を更新することを含む、請求項１に記載のコンピュータで実行される方法。
【請求項１２】
前記少なくとも一つのマーケティングネットワークに属する別の登録済み参加者による前記一人の登録済み参加者に送信された前記少なくとも一つのマーケティングネットワークに加わることの招待に応じて、前記表示を受け取る、請求項１１に記載のコンピュータで実行される方法。
【請求項１３】
更に、前記受け取りの前に、前記一人の登録済み参加者に、前記複数のマーケティングネットワークのうちの利用可能なマーケティングネットワークのリストを提示するステップと、前記一人の登録済み参加者から前記利用可能なマーケティングネットワークの少なくとも一つに加わることの選択を受け取るステップと、を含む、請求項１１に記載のコンピュータで実行される方法。
【請求項１４】
更に、前記提示するステップの前に、少なくとも一つのマーケティングネットワークに加わることを許容された他の登録済み参加者の集団の詳述を前記少なくとも一つのマーケティングネットワークに属する別の登録済み参加者から受け取るステップであって、前記詳述によって前記利用可能なマーケティングネットワークのリストが規制されるようにされた、ステップを含む、請求項１３に記載のコンピュータで実行される方法。
【請求項１５】
更に、第２のマーケティングコンテンツ及びそれに関連する第２のコンテンツ規則を前記第１の参加カテゴリーに登録された第２の登録済み参加者から受け取り、前記第２のマーケティングコンテンツ及び前記第２のコンテンツ規則を前記データベースに保存し、保存された前記第２のマーケティングコンテンツに対するアクセスが、前記第１の参加カテゴリーには登録されていないが、前記第２のコンテンツ規則に従い前記第２の登録済み参加者が帰属する前記複数のマーケティングネットワークの第２のマーケティングネットワークに帰属している複数の前記登録済み参加者の他の登録済み参加者の少なくとも第２の集団に許容するステップと、
第２の資金データ及びそれに関連する第２の資金規則を前記第２の登録済み参加者から受け取り、前記第２の資金データ及び前記第２の資金規則を前記データベースに保存するステップであって、前記第２の資金データは、前記第２の資金規則に従い前記第２のマーケティングコンテンツに対して前記他の登録済み参加者の前記第２の集団の少なくとも一人の登録済み参加者による前記複数のマーケティング活動の少なくとも一つの少なくとも一部に間接的にでも資金を提供するために利用可能な第２の資金を規定するようにされた、ステップと、を含む請求項１に記載のコンピュータで実行される方法。
【請求項１６】
前記他の登録済み参加者の前記第１の集団は、前記他の登録済み参加者の前記第２の集団とは異なる、請求項１５に記載のコンピュータで実行される方法。
【請求項１７】
前記第１のマーケティングコンテンツは、一人以上の消費者に対して前記第１のマーケティングコンテンツを提示する宣伝活動のための販促用品を含み、前記宣伝活動は、電子メール、郵便、電話、ホームページ又はそれらの組み合わせを経由して、前記マーケティングシステムによって行われる、請求項１に記載のコンピュータで実行される方法。
【請求項１８】
前記第１のマーケティングネットワークに属する前記登録済み参加者の少なくとも一人の代わりに、前記一人以上の消費者に対して前記第１のマーケティングコンテンツを提示する前記宣伝活動を実行するステップを更に含む、請求項１７に記載のコンピュータで実行される方法。
【請求項１９】
前記第１のコンテンツ規則は、前記登録済み参加者の少なくとも一人が前記実行するステップの前に前記第１のマーケティングコンテンツを変更することが許される範囲を規定するようにされ、前記方法が、前記第１のマーケティングコンテンツの変更を、前記実行するステップの前に、許容または防止するための前記第１のコンテンツ規則に従って前記変更を仲介するステップをさらに含む、請求項１８に記載のコンピュータで実行される方法。
【請求項２０】
更に、前記実行するステップに続いて、前記宣伝活動の結果を評価し、前記第１の登録済み参加者に対して前記評価にアクセスすることを許容するステップをさらに含む、請求項１８に記載のコンピュータで実行される方法。
【請求項２１】
前記宣伝活動の前記実行は、コストによって特徴づけられ、更に、前記第１の資金データは、第３の参加者に関連する口座に対する前記第１の資金の第１の割り当てを含み、これに関連する前記第１の資金規則は、前記複数の参加者の前記第１の集団の少なくとも一人が、前記宣伝活動の前記実行の前記コストの少なくとも一部を賄うための資金の前記第１の割り当ての少なくとも一部に対して権限を有する範囲を規定する、請求項１８に記載のコンピュータで実行される方法。
【請求項２２】
前記第１のコンテンツ規則は、前記第１のマーケティングコンテンツが前記他の登録済み参加者の前記第１の集団の登録済み参加者によって修正される範囲と、前記第１のマーケティングコンテンツが前記他の登録済み参加者の前記第１の集団の登録済み参加者によって独占的にアクセスされる期間と、前記他の登録済み参加者の前記第１の集団の登録済み参加者が前記第１のマーケティングコンテンツを購入するためのコスト、又はその組み合わせを定める、請求項１に記載のコンピュータで実行される方法。
【請求項２３】
前記第１の資金規則は、前記第１の資金の少なくとも一部が、前記第１のマーケティングコンテンツに対する前記複数のマーケティング活動の少なくとも一つに資金を与えるために前記他の登録済み参加者の前記第１の集団の登録済み参加者に提供される少なくとも一つの条件を定める、請求項１に記載のコンピュータで実行される方法。
【請求項２４】
マーケティングシステムによって、複数のマーケティングネットワークの複数の参加者間の複数のマーケティング活動の集中型管理を容易にするシステムであって、前記複数のマーケティング活動は、少なくともマーケティングコンテンツが提示されることとなる一人以上の消費者の決定と、前記一人以上の消費者に対するマーケティングコンテンツの提供を含み、前記システムは、
第１の参加カテゴリー又は第２の参加カテゴリーのうちの一つにあるものとして、前記マーケティングシステムに前記複数の参加者の各々を登録するように作動する登録プロセッサであって、前記第１の参加カテゴリーに登録された登録済み参加者は、前記一人以上の消費者に対して販売するための一つ以上の製品又はサービスの提供元を含み、前記第２の参加カテゴリーに登録済みの参加者は、前記一人以上の消費者の少なくとも一部に対する前記一つ以上の製品又はサービスのリセラーを含む、登録プロセッサと、
前記登録プロセッサに接続されて複数の参加者記録を保存するように作動するメモリーに保存されているデータベースであって、前記複数の参加者記録の各々は、複数の前記登録済み参加者の一人に関連付けられ、関連付けられた参加者を前記第１又は第２の参加カテゴリーの内の一つに登録されているものとして特徴づける参加者データを保存し、前記複数の参加者記録の各々が、前記複数のマーケティングネットワークの少なくとも一つのマーケティングネットワークに属する前記関連付けられた参加者を示すネットワークデータを更に保存する、データベースと、
前記メモリーに接続され、第１のマーケティングコンテンツとそれに関連する第１のコンテンツ規則を前記第１の参加カテゴリーに登録された第１の登録済み参加者から受け取り、前記第１のマーケティングコンテンツ及び第１のコンテンツ規則を前記データベースに保存し、保存された前記第１のマーケティングコンテンツに対して、前記第１の参加カテゴリーには登録されていないが、前記第１のコンテンツ規則に従い前記第１の登録済み参加者が属する前記複数のマーケティングネットワークの第１のマーケティングネットワークに属する複数の前記登録済み参加者の他の登録済み参加者の少なくとも第１の集団によるアクセスを許可するように作動するマーケティングコンテンツプロセッサと、
前記メモリーに接続され、第１の資金データ及びそれに関連する第１の資金規則を前記第１の登録済み参加者から受け取り、前記第１の資金データ及び前記第１の資金規則を前記データベースに保存するように作動する資金プロセッサであって、前記第１の資金データは、前記第１の資金規則に従って、前記第１のマーケティングコンテンツに対して前記他の登録済み参加者の前記第１の集団の少なくとも一人の登録済み参加者によって前記複数のマーケティング活動のうちの少なくとも一つの少なくとも一部に間接的にでも資金を提供するために利用可能な第１の資金を規定するようになされている、資金プロセッサと
を含む、システム。
【請求項２５】
前記登録プロセッサは、更に、前記複数の参加者の各々を、前記第１の参加カテゴリー、前記第２の参加カテゴリー、または第３の参加カテゴリーのうちの一つにあるものとして、前記マーケティングシステムに登録するように作動し、前記第３の参加カテゴリーに登録された参加者は、前記第２の参加カテゴリーに登録された一人以上の登録済み参加者によって、前記第１の参加カテゴリーに登録された登録済み参加者から獲得した前記一つ以上の製品又はサービスを前記一人以上の消費者の少なくとも一部に販売することを容易にするものを含む、請求項２４に記載のシステム。
【請求項２６】
前記複数のマーケティングネットワークの各々は、前記第１の参加カテゴリーに登録されたただ一人の参加者と前記第２の参加カテゴリーに登録された少なくとも一人の参加者を含む、請求項２５に記載のシステム。
【請求項２７】
前記マーケティングコンテンツプロセッサは、更に、第２のマーケティングコンテンツ及びそれに関連する第２のコンテンツ規則を前記第３の参加カテゴリーに登録された第２の登録済み参加者から受け取り、前記第２のマーケティングコンテンツ及び前記第２のコンテンツ規則を前記データベースに保存し、保存された前記第２のマーケティングコンテンツに対するアクセスを、前記第２のコンテンツ規則に従い前記第２の登録済み参加者が帰属する前記複数のマーケティングネットワークの第２のマーケティングネットワークに帰属する複数の前記登録済み参加者のうちの他の登録済み参加者の少なくとも第２の集団に許容するように作動する、請求項２５に記載のシステム。
【請求項２８】
前記資金プロセッサは、更に、第２の資金データ及びそれに関連する第２の資金規則を前記第２の登録済み参加者から受け取り、前記第２の資金データ及び前記第２の資金規則を前記データベースに保存するように作動し、前記第２の資金データは、前記第２の資金規則に従って、前記第２のマーケティングコンテンツに対して前記他の登録済み参加者の前記第２の集団の少なくとも一人の登録済み参加者によって前記複数のマーケティング活動の少なくとも一つの少なくとも一部に間接的にでも資金を提供するために利用可能な第２の資金を規定する、請求項２７に記載のシステム。
【請求項２９】
前記第１の資金データは、更に、前記第１の資金規則に従い、前記第２のマーケティングコンテンツに関連して前記他の登録済み参加者の前記第２の集団の少なくとも一人の登録済み参加者による前記複数のマーケティング活動の少なくとも一つの少なくとも一部に間接的にでも資金を提供するために利用可能な第３の資金を規定する、請求項２８に記載のシステム。
【請求項３０】
前記資金プロセッサが、更に、第２の資金データ及びそれに関連する第２の資金規則を前記第２の登録済み参加者から受け取り、前記第２の資金データ及び前記第２の資金規則を前記データベースに保存するように作動し、前記第２の資金データは、前記第１の資金規則に従って前記第１のマーケティングコンテンツに対して前記他の登録済み参加者の前記第１の集団の少なくとも一人の登録済み参加者が前記複数のマーケティング活動のうちの少なくとも一つの少なくとも一部に間接的にでも資金を提供するために利用可能な第２の資金を規定する、請求項２７に記載のシステム。
【請求項３１】
更に、前記メモリーに接続し、コンタクトデータ及びそれに関連するコンタクト規則を、前記第１の参加カテゴリーに登録された第２の登録済み参加者から受け取り、前記コンタクトデータ及び前記コンタクト規則を前記データベースに保存し、保存された前記コンタクトデータに対するアクセスを、前記コンタクト規則に従い前記他の登録済み参加者の少なくとも第１の集団に許容するように作動する、コンタクトプロセッサを有する、請求項２４に記載のシステム。
【請求項３２】
前記コンタクトデータは、前記マーケティングコンテンツが提示されることになる前記一人以上の消費者の識別を備えているが、前記コンタクト規則は、前記一人以上の消費者の第１の集団を識別する前記コンタクトデータの少なくとも一部が、前記マーケティングコンテンツを前記一人以上の消費者の前記第１の集団に提示するために、前記他の登録済み参加者の前記第１の集団の登録済み参加者の何れかによって独占的にアクセスされる第１の期間と、前記一人以上の消費者の第２の集団を識別する前記コンタクトデータの少なくとも一部が、前記一人以上の消費者の前記第２の集団に対する前記マーケティングコンテンツの提示に続いて、前記他の登録済み参加者の第１の集団の登録済み参加者の何れかによって独占的にアクセスされる第２の期間と、前記一人以上の消費者の第３の集団を識別する前記コンタクトデータの少なくとも一部が、提示された前記マーケティングコンテンツに関心を示した前記一人以上の消費者の第３の集団に対する前記マーケティングコンテンツの提示に続いて、前記他の登録済み参加者の前記第１の集団の登録済み参加者の何れかによって独占的にアクセスされる第３の期間、又はそれらの組み合わせを定める、請求項３１に記載のシステム。
【請求項３３】
更に、前記メモリーに接続され、コンタクトデータ及びそれに関するコンタクト規則を前記第２の参加カテゴリーに登録された第２の参加者から受け取り、前記コンタクトデータ及び前記コンタクト規則を前記データベースに保存し、複数の前記登録済み参加者のうちの他の登録済み参加者によって保存された前記コンタクトデータへのアクセスを阻止するように作動するコンタクトプロセッサを有する、請求項２４に記載のシステム。
【請求項３４】
前記登録プロセッサが、更に、一人の登録済み参加者から、前記複数のマーケティングネットワークの少なくとも一つのマーケティングネットワークに加わるという表示を受け取り、それに従って、前記参加者記録の各々を更新するように作動する、請求項２４に記載のシステム。
【請求項３５】
前記少なくとも一つのマーケティングネットワークに属している別の登録済み参加者によって前記一人の登録済み参加者に送信された少なくとも一つのマーケティングネットワークに加わるという招待に応じて、前記表示を受け取るようにされた、請求項３４に記載のネットワーク。
【請求項３６】
前記登録プロセッサは、更に、前記表示の受け取りの前に、前記一人の登録済み参加者に対して、前記複数のマーケティングネットワークのうちの利用可能なマーケティングネットワークのリストを提示し、前記一人の登録済み参加者から前記利用可能なマーケティングネットワークの少なくとも一つに加わることの選択肢を受け取るように作動する、請求項３４に記載のシステム。
【請求項３７】
前記登録プロセッサは、更に、前記リストの提示の前に、前記少なくとも一つのマーケティングネットワークに加わることを許容された他の登録済み参加者の集団の詳述を前記少なくとも一つのマーケティングネットワークに属する別の登録済み参加者から受け取るように作動し、前記詳述によって前記利用可能なマーケティングネットワークのリストが規制されるようにされた請求項３６に記載のシステム。
【請求項３８】
前記マーケティングコンテンツプロセッサは、更に、第２のマーケティングコンテンツ及びそれに関連する第２のコンテンツ規則を前記第１の参加カテゴリーに登録された第２の登録済み参加者から受け取り、前記第２のマーケティングコンテンツ及び前記第２のコンテンツ規則を前記データベースに保存し、保存された前記第２のマーケティングコンテンツに対するアクセスが、前記第１の参加カテゴリーには登録されていないが、前記第２のコンテンツ規則に従い前記第２の登録済み参加者が属する前記複数のマーケティングネットワークの第２のマーケティングネットワークに属する複数の前記登録済み参加者のうち他の登録済み参加者の少なくとも第２の集団に許容しており、
前記資金プロセッサは、更に、第２の資金データ及びそれに関連する第２の資金規則を前記第２の登録済み参加者から受け取り、前記第２の資金データ及び前記第２の資金規則を前記データベースに保存するように作動し、前記第２の資金データは、前記第２の資金規則に従い前記第２のマーケティングコンテンツに対して前記他の登録済み参加者の前記第２の集団の少なくとも一人の登録済み参加者による前記複数のマーケティング活動の少なくとも一つの少なくとも一部に間接的にでも資金を提供するために利用可能な第２の資金を規定する、請求項２４に記載のシステム。
【請求項３９】
前記他の登録済み参加者の前記第１の集団は、前記他の登録済み参加者の前記第２の集団とは異なる、請求項３８に記載のシステム。
【請求項４０】
更に、少なくとも一つの宣伝活動を実行するように作動するキャンペーンプロセッサを有し、前記第１のマーケティングコンテンツが、前記第１のマーケティングコンテンツを一人以上の消費者に提示する宣伝活動のための販促用品を有し、前記宣伝活動が、電子メール、郵便、電話、ホームページ又はそれらの組み合わせを経由して、前記キャンペーンプロセッサによって実行される、請求項２４に記載のシステム。
【請求項４１】
前記キャンペーンプロセッサが、更に、前記宣伝活動を実行するように作動し、前記第１のマーケティングネットワークに属する前記登録済み参加者の少なくとも一人の代わりに、前記一人以上の消費者に対して前記第１のマーケティングコンテンツを提示する、請求項４０に記載のシステム。
【請求項４２】
前記第１のコンテンツ規則が、前記少なくとも一人の登録済み参加者が前記実行の前に前記第１のマーケティングコンテンツを変更することが許容される範囲を定め、前記キャンペーンプロセッサが更に、前記第１のマーケティングコンテンツの変更を、前記実行の前に許容または防止するための前記第１のコンテンツ規則に従って前記変更を仲介するようにされた、請求項４１に記載のシステム。
【請求項４３】
前記キャンペーンプロセッサは、更に、前記実行に続いて、前記宣伝活動の結果を評価し、前記評価にアクセスすることを前記第１の登録済み参加者に許容するように作動する、請求項４１に記載のシステム。
【請求項４４】
前記宣伝活動の前記実行が、コストによって特徴づけられ、更に、前記第１の資金データが、第３の参加者に関連する口座に対する前記第１の資金の第１の割り当てを有し、それに関連する前記第１の資金規則が、前記複数の参加者の前記第１の集団のうちの少なくとも一人が前記宣伝活動の前記実行の前記コストの少なくとも一部を賄うための資金の前記第１の割り当ての少なくとも一部に対して権限を有する範囲を定める、請求項４１に記載のシステム。
【請求項４５】
前記第１のコンテンツ規則は、少なくとも、前記第１のマーケティングコンテンツが前記他の登録済み参加者の前記第１の集団の登録済み参加者によって修正される範囲と、前記第１のマーケティングコンテンツが前記他の登録済み参加者の前記第１の集団の登録済み参加者によって独占的にアクセスされる期間と、前記他の登録済み参加者の前記第１の集団の登録済み参加者が第１のマーケティングコンテンツを購入するためのコスト、又はそれらの組み合わせを定める、請求項２４に記載のシステム。
【請求項４６】
前記第１の資金規則が、前記第１の資金の少なくとも一部が前記第１のマーケティングコンテンツに対する前記複数のマーケティング活動の少なくとも一つに資金を提供するために前記他の登録済み参加者の前記第１の集団の登録済み参加者に提供される少なくとも一つの条件を定める、請求項２４に記載のシステム。
【請求項４７】
マーケティングシステムによって、複数のマーケティングネットワークの複数の参加者間の複数のマーケティング活動の集中型管理を容易にするためのシステムであって、前記複数のマーケティング活動が、少なくとも、マーケティングコンテンツが提示されることになる一人以上の消費者の決定と、前記一人以上の消費者に対するマーケティングコンテンツの提供を含み、前記システムが、プロセッサ及び前記プロセッサに接続されたメモリーを有し、前記システムが更に、
前記メモリーに記憶され前記プロセッサにより実行可能であって、第１の参加カテゴリー又は第２の参加カテゴリーのうちの一つにあるものとして、前記マーケティングシステムに前記複数の参加者の各々を登録する第１の論理であり、前記第１の参加カテゴリーに登録された登録済み参加者が、前記一人以上の消費者に対して販売するための一つ以上の製品又はサービスの提供元を含み、前記第２の参加カテゴリーに登録された登録済み参加者は、前記一人以上の消費者の少なくとも一部に対する前記一つ以上の製品又はサービスのリセラーを有する、前記第１の論理と、
前記第１の論理に接続されて複数の参加者記録を保存するように作動するメモリーに保存されているデータベースであって、前記複数の参加者記録の各々は、複数の前記登録済み参加者のうちの一人に関連付けられ、関連付けられた参加者を前記第１又は第２の参加カテゴリーのうちの一つに登録されるものとして特徴づける参加者データを保存しており、前記複数の参加者記録の各々は、更に、前記複数のマーケティングネットワークの少なくとも一つのマーケティングネットワークに属する前記関連付けられた参加者を示すネットワークデータを保存する、前記データベースと、
前記メモリーに記憶され、前記プロセッサにより実行可能であって、第１のマーケティングコンテンツとそれに関連する第１のコンテンツ規則を前記第１の参加カテゴリーに登録された第１の登録済み参加者から受け取り、前記第１のマーケティングコンテンツ及び前記第１のコンテンツ規則を前記データベースに保存し、保存された前記第１のマーケティングコンテンツに対して、前記第１の参加カテゴリーには登録されていないが、前記第１のコンテンツ規則に従い前記第１の登録済み参加者が属する前記複数のマーケティングネットワークの第１のマーケティングネットワークに属する複数の前記登録済み参加者の他の登録済み参加者の少なくとも第１の集団によるアクセスを許容する、第２の論理と、
前記メモリーに記憶され前記プロセッサにより実行可能であって、第１の資金データ及びそれに関連する第１の資金規則を前記第１の登録済み参加者から受け取り、前記第１の資金データ及び前記第１の資金規則を前記データベースに保存し、前記第１の資金データは、前記第１の資金規則に従って、前記第１のマーケティングコンテンツに対して前記他の登録済み参加者の前記第１の集団の少なくとも一人の登録済み参加者によって前記複数のマーケティング活動のうちの少なくとも一つの少なくとも一部に間接的にでも資金を提供するために利用可能な第１の資金を定める第３の論理と、を有するシステム。
【請求項４８】
マーケティングシステムによって、複数のマーケティングネットワークの複数の参加者間の複数のマーケティング活動の集中型管理を容易にするためのシステムであって、前記複数のマーケティング活動は、少なくとも、マーケティングコンテンツが提示されることとなる一人以上の消費者の決定と、前記一人以上の消費者に対するマーケティングコンテンツの提供を有し、前記システムは、
第１の参加カテゴリー又は第２の参加カテゴリーのうちの一つにあるものとして、前記マーケティングシステムに前記複数の参加者の各々を登録する手段であって、前記第１の参加カテゴリーに登録された登録済み参加者は、前記一人以上の消費者に対して販売するための一つ以上の製品又はサービスの提供元を含み、前記第２の参加カテゴリーに登録された登録済み参加者は、前記一人以上の消費者の少なくとも一部に対する前記一つ以上の製品又はサービスのリセラーを有する、登録する手段と、
複数の参加者記録を保存する手段であって、前記複数の参加者記録の各々は、複数の前記登録済み参加者の一人に関連付けられており、関連付けられた参加者を前記第１又は第２の参加カテゴリーのうちの一つに登録されるものとして特徴づける参加者データを保存しており、前記複数の参加者記録の各々は、更に、前記複数のマーケティングネットワークの少なくとも一つのマーケティングネットワークに属する前記関連付けられた参加者を表示するネットワークデータを保存する、保存する手段と、
第１のマーケティングコンテンツ及びそれに関連する第１のコンテンツ規則を前記第１の参加カテゴリーに登録された第１の登録済み参加者から受け取り、前記第１のマーケティングコンテンツ及び前記第１のコンテンツ規則を前記保存する手段に保存し、保存された前記第１のマーケティングコンテンツに対して、前記第１の参加カテゴリーには登録されていないが、前記第１のコンテンツ規則に従い前記第１の登録済み参加者が帰属する前記複数のマーケティングネットワークの第１のマーケティングネットワークに帰属する複数の前記登録済み参加者の他の登録済み参加者の少なくとも第１の集団によるアクセスを許容する手段と、
第１の資金データ及びそれに関連する第１の資金規則を前記第１の登録済み参加者から受け取り、前記第１の資金データ及び前記第１の資金規則を前記保存する手段に保存する手段と、を有し、
前記第１の資金データは、前記第１の資金規則に従って、前記第１のマーケティングコンテンツに対して前記他の登録済み参加者の前記第１の集団の少なくとも一人の登録済み参加者によって前記複数のマーケティング活動のうちの少なくとも一つの少なくとも一部に間接的にでも資金を提供するために利用可能な第１の資金を定める、システム。
【発明の詳細な説明】
【背景技術】
【０００１】
流通チャネル、マーケティングチャネル、マーケティングチャネルネットワークもしくは、チャネルマーケティングネットワークとも呼ばれる、流通の経路は、製品及び／又はサービスの生産者の内部、外部もしくはそれらを含めた、組織単位、機関あるいは代理店の集合体と定義できるが、これは、製品及び／又はサービスの宣伝活動を行う等、製品及び／又は、サービスの販売及び取引を支援する機能を果たしている。マーケティング機能は広範で、購買、販売、輸送、貯蔵、格付け、資金調達、マーケットリスクを負うこと、及び、マーケティング情報の提供を含むことができる。１つ以上のマーケティング機能を遂行しその遂行を支援する、いかなる組織単位、機関又は代理店も、チャネルマーケティングのメンバーである。
【０００２】
特定のチャネルマーケティングネットワークの参加者には、提供者、一人以上の仲介人、及び一人以上のリセラーが含まれる。提供者（ｓｐｏｎｓｏｒ）は、通常は、生産者又はその他の、消費者に販売するための製品及び／又はサービスの提供元（ｏｒｉｇｉｎａｔｏｒ）であり、一つ以上の特定の独占的なブランドを広めている。リセラーとは、小売店もしくは直販組織体等の組織体もしくは団体であって、通常、消費者に対して、製品及び／又はサービスを販売する意図を有する提供者から、直接的または間接的に、製品及び／又はサービスを購入する。仲介者には、流通業者もしくはリセラー団体等の組織体や団体が含まれ、一人以上のリセラーによって、一人以上の提供者の製品及び／又はサービスの販売を容易にする。
【０００３】
所定のチャネルマーケティングネットワークにおいて、各参加者は、例えば、特定の提供者の特定の製品及び／又はサービスのための宣伝活動を行う等、消費者への販売や収益を生むことを容易にするためのマーケティングに興味を有する。さらに、提供者たる参加者は、例えば、仲介者及び／又はリセラーたる参加者等の他の参加者と協調し助け合うことに関心があり、宣伝活動を行い、こうした活動を管理して、例えば、矛盾のないブランドの提示、ブランドを傷つける活動の回避を保証し、参加者の間の公正な機会を保証し、概して、販売取引過程の非効率性を最小限にする。
【図面の簡単な説明】
【０００４】
【図１】一実施形態に係るマーケティングシステム１００のブロック図である。
【０００５】
【図２】一実施形態に係る図１のシステムのオペレーションを示すフローチャート図である。
【０００６】
【図３】図１のシステムとともに使用するための一般的なコンピュータシステムの説明のための実施形態である。
【発明を実施するための形態】
【０００７】
開示された実施形態は、プラットフォームとも呼ばれる、マーケティングシステムに関し、マルチチャネルマーケティングネットワークの多数の参加者間でのマーケティング活動の集中型管理を容易にするものであって、当該マーケティング活動には、マーケティングコンテンツが提示されることとなる、一人以上の消費者の決定及びそれに対するマーケティングコンテンツの提供が含まれる。特に、開示された実施形態は、技術的なプラットフォームに関するもので、例えば、提供者／ＯＥＭ、販売業者、購買グループ及びリセラー等のチャネルマーケティングネットワークのメンバーが互いに連絡しあって、共同マーケティング関連のプロセス等の共有のビジネスプロセスを遂行し、その結果にアクセスするため、マーケティングコンテンツ、資金及びコンタクトデータの交換の安全管理を許容する連絡網を築くことができるようにするものである。開示された実施形態は、宣伝広告のプラットフォームを提供するもので、参加者の発見やチャネルネットワークの定式化を容易にし、マーケティング活動をチャネルマーケティングネットワークの間や特定のチャネルマーケティングネットワークの参加者の間で分別し、内部で生じたものに基づく参加者及び／又はマーケティングコンテンツが提供され、参加者を認識するコンタクトに向けられた参加者の代わりに、マーケティング活動を生み出して遂行し、一人以上の参加者によるマーケティング活動の資金調達を容易にし、その結果を収集し評価することを容易にする。
【０００８】
単一提供者システムと異なり、開示された実施形態は、マルチチャネルマーケティングネットワークのマーケティング関連のプロセスや活動を集中し、提供者、仲介者及びリセラーといった参加者を含み、ワークフローを標準化し、整合性のない、非効率又は重複する適用を排除するものである。さらに、開示された実施形態は、多様な提供者のためのサポートだけでなく、重複し、または個別のチャネルマーケティングネットワーク、リアルタイムでの認可、資金のリアルタイムでの提供、取引の共同資金、ビジネス過程の制限や規則の施行、及びマーケティング活動の管理等の内部の、及び相互間のチャネルマーケティングネットワークの機能性を可能にする。
【０００９】
係属中の特許請求の範囲における使用を明らかにし、本明細書で公表するために、「少なくとも＜Ａ＞、＜Ｂ＞、・・・・及び＜Ｎ＞のうちの少なくとも一つ」あるいは「＜Ａ＞、＜Ｂ＞、・・・・、＜Ｎ＞の少なくとも一つまたはそれらの組み合わせ」というフレーズは、最広義の意味で出願人が定義しており、出願人が明示的に反対の意味を主張するのでなければ、本明細書の記述の前後を問わず、他の黙示的定義を優先し、Ａ、Ｂ、・・・・、及びＮからなる群から選択された一つ以上の要素、つまり、構成要素たるＡ，Ｂ、・・・・Ｎの一つ以上の組み合わせを意味し、一つの構成要素のみ、または、列挙されていない構成要素を付加したものやその組み合わせを含む、一つ以上の他の構成要素との組み合わせも含まれる。
【００１０】
ある実施形態では、プラットフォームは、マルチチャネルマーケティングネットワークと、マーケティングコンテンツの同時表示と、資金の分配及び／又は流通及び各チャネルマーケティングネットワーク間のマーケティング活動の集中的実行を可能にする共有の実例であり、例えば、一人の提供者が流通業者等の仲介人と多数のリセラーとつながり、一人の仲介者が多数の提供者及び多数のリセラーとつながり、一人のリセラーが多数の提供者や多数の流通業者とつながることができる。下記の通り、特定のチャネルマーケティングネットワークにおける各々のつながりは、参加者が規定する規則に従うが、当該規則は、交換可能な内容、データ、意思伝達及び資金調達のタイプや数量を規定している。当該システムは、ソーシャルネットワークのように、何千もの相互につなが重複ネットワークをサポートしているが、ただ交流し意思伝達するだけでなく、多様なマーケティングチャネルネットワークの参加者が、例えば、マーケティングや宣伝活動の創造、資金調達、調整、遂行及び評価等の取引や共有のビジネスプロセスをリアルタイムで行うことができる。
【００１１】
本明細書で用いられているように、消費者は、個人、組織体、法人その他であってもよく、例えば、自らの使用あるいは消費のために、製品及び／又はサービスを利用し消費する意図で、製品及び／又はサービスを購入し、獲得するのである。一般的に、当該製品及び／又はサービスは、リセラーあるいは提供者から獲得し、以下で詳細を述べるが、当該製品またはサービスを宣伝し、以下に述べるように、開示された実施形態を通じて、提供者、仲介人及び／又はリセラーが行う宣伝活動に答えるものである。
【００１２】
提供者は、個人、組織体または会社等の法人その他でもよく、製造業者、相手先商標製品の製造会社（以下、「ＯＥＭ」と称す）、サービス提供者、供給者及び／又は、ブランド製品又はサービス等の一つ以上の製品及び／又はサービスを販売するか、直接的又は間接的販売チャネルを通じて、一人以上の消費者に販売するために提供するブランド業者である。提供者は、提供者の製品及び／又はサービスのリセラーである他の独立した事業体に依存することができる。リセラーは、提供者から直接的に製品及び／又はサービスを受け取るか、当該製品及び／又はサービスが流通業者あるいは購買グループなどの仲介者を通じて届くこともある。詳細は以下に述べるが、ある実施形態では、提供者は、他者を支援して、提供者の製品及び／又はサービスを市場に流通させることに関心があり、リセラーにマーケティングコンテンツ、資金、及び／又はコンタクトデータを提供するが、他の提供者からマーケティングコンテンツ、資金及び／又はコンタクトデータを受け取らない。特に、開示された実施形態は、提供者が、マーケティングコンテンツを同時に示すこと、例えば、マーケティングコンテンツを多くの参加者にほぼ同時に公表、提供その他入手可能にすることができる。以下に詳細に述べるが、マーケティングコンテンツ、資金及びコンタクトデータに沿って、提供者は、規則を定め、提供者がチャネルマーケティングネットワークの参加者のマーケティング活動を導き、制御するなど調整することができるようにする。以下に述べるが、開示された実施形態によって、提供者は、どのリセラーが、提供者が出資した宣伝活動を行っているかを見たり、どれだけの開設(open)、クリック、回答者、リードが生じたか又は全般的な調査結果等の活動結果の全体を見ることができる。リセラー等の他の参加者の利益を保護するため、開示された実施形態は、提供者が、所有者と思われる者の個人的立場の身元をリセラーに対してアクセスすることを防止している。
【００１３】
リセラーは、提供者等の別の会社によって創作された製品及び／又はサービスを一人以上の消費者に対して販売する個人、組織体または事業体であり、例えば、リセラーは、消費することよりはむしろ販売する意図で購入する存在である。リセラーは、一人以上の提供者と関連しており、例えば、一人以上の提供者の製品及び／又はサービスを販売し、原提供者から直接的に、あるいは仲介者を通じて間接的に、製品及び／又はサービスを得ることもできる。以下に詳細に述べるが、ある実施形態では、リセラーは、一人以上の提供者及び／又は仲介者からマーケティングコンテンツ、資金及び／又はコンタクトデータを受け取ることができるが、他のリセラーに対して、マーケティングコンテンツ、資金及び／又はコンタクトデータを提供しない。
【００１４】
仲介者とは、個人、組織体、企業等の法人であり、一人以上の提供者及び／又はリセラーにより、一人以上の消費者に対する、一つ以上の製品及び／又はサービスの販売もしくは取引を容易にする。仲介者は、提供者の製品及び／又はサービスを集積する者として仕え、例えば、流通業者はリセラーに流通させる。例えば、流通業者、購買組織もしくは購買団体、マーケティング組織体等が含まれる。以下に述べるように、ある実施形態では、仲介者は、一人以上の提供者から、マーケティングコンテンツ、資金及び／又はコンタクトデータを受け取り、提供者が提供する、もしくは自らのマーケティングコンテンツ、資金及び／又はコンタクトデータを一人以上のリセラーに提供する。仲介者は、自らのマーケティング活動を行うか、及び／又は、マーケティング活動を行う際に、単独又は資金を提供する提供者と共に、例えばリセラー等の他者を援助する。例えば、開示された実施形態は、開示されたマーケティングシステムを通じて、リセラーが行うマーケティング活動の費用の少なくとも一部について、提供者及び仲介者による共同出資を容易にする。
【００１５】
消費者、提供者、仲介者もしくはリセラーとしての個人、組織体その他の存在の特徴は、当該存在により企図された特定の取引によるが、所定の存在は、例えば消費者としてある取引の第１のカテゴリーにあるか、例えば提供者として異なる取引の他のカテゴリーにあるものとして特徴付けられることが分かる。そのように、開示された実施形態は、企業間取引とともに企業・消費者間の取引にも適用できる。
【００１６】
以下に詳細に述べるが、開示された実施形態では、例えば、個人及び／又は組織体、企業その他の参加者は、提供者、仲介者もしくはリセラーのいずれかとしてマーケティングシステムに登録する。本明細書で用いられているように、提供者もしくは出資会社、仲介者もしくは仲介会社及びリセラーもしくはリセラー会社という用語は、開示されたシステムにおける参加の一カテゴリー及びそのカテゴリーに登録された参加者の双方を指す。別の実施形態では、参加者は、異なる取引における異なる役割での参加を可能にするため、２つ以上の分類に登録することが許される。
【００１７】
ある実施形態では、一つのチャネルマーケティングネットワークは、以下に述べるように、一つ以上のマーケティング活動を少なくとも行うために参加することを、明示または黙示に合意した一人以上からなる一組の参加者である。チャネルマーケティングネットワークは、ただ一人以上の提供者のみを含むか、さらに一人以上の仲介者及び／又は一人以上のリセラーを含む。チャネルマーケティングネットワークは、提供者、仲介者及びリセラーのいかなる組み合わせも含めることができるが、ある実施形態では、チャネルマーケティングネットワークには常に少なくとも一人以上の提供者又は仲介者を有し、ネットワークを所有し、制御し、指示し、もしくは、管理すると考えられる。チャネルマーケティングネットワークは、更に、一人以上の仲介者を含む。ある実施形態では、提供者または仲介者は、登録済みもしくは未登録の他の参加者を招待及び／又は承認し、マーケティングシステムに登録し、及び／又は提供者又は仲介者のネットワークに加わることができる。または、それに加えて、参加者は、利用可能な提供者、仲介者及び／又はチャネルマーケティングネットワークのリストを見たりなどして、その裁量で、ネットワークを発見したり加わったりすることが許されている。ある実施形態では、提供者及び／又は仲介者は、視界を限定し、その他、特定の身元、タイプ又はロケーション等の特別な基準に合致する参加者のみにチャネルマーケティングネットワークの利用可能性を限定する。この様に、提供者及び／又は仲介者は、まず、参加者認定して加わることを勧めることなく、特定の参加者に対してそのチャネルマーケティングネットワークを利用させ、あるいは、特定のチャネルマーケティングネットワークに加わることを特に不可とすることなく、回避を望む参加者に対するアクセスを否定することができる。
【００１８】
以下に詳細を述べるように、チャネルマーケティングネットワークは、参加者が属するグループとしてマーケティングシステムの範囲内に限定される。チャネルマーケティングネットワークの実行を望む参加者は、当該グループを限定し、他の参加者に加わるように招くか、及び／又は、当該グループを他の参加者又はその特定の集団が当初からの参加者の承認の有無にかかわらず、加わるのに利用可能な集団とする。ある実施形態では、当該グループは、参加の基準を規定する一つ以上の承認に特徴がある。マーケティングシステムは、いくらかでも、特定の基準に従って、招待、要求及び／又は承認を仲介し、その基準に従って、参加者を所定のチャネルマーケティングネットワークに加える。ある実施形態では、マーケティングシステムは、各参加者のためにデータベースの保存記録を保存し、各記録は、特定の参加者が属するチャネルマーケティングネットワークを識別する。または、それに加えて、チャネルマーケティンググループは、参加者同士のつながり等の参加者間の関係によって限定することができるが、２人以上の参加者間の各つながりは、更に、データの共有、意思伝達もしくは共通の特徴の特定の制約等、つながりのパラメータを規定する一つ以上の規則によって制限され、マーケティングシステムは、当該基準によって、参加者間の交流を仲介する。ある実施形態では、データベースにある各参加者記録が、特定の参加者が関連する他の参加者の各々と交流パラメータを制限する基準を識別し、特定の交流パラメータを持つ関連する参加者集団がチャネルマーケティングネットワークを表示する。
【００１９】
提供者、仲介者及びリセラーは、２つ以上のチャネルマーケティングネットワークに属し、例えば、当該参加者の組等、ある提供者の一つのチャネルマーケティングネットワークがまた別の提供者のチャネルマーケティングネットワークに重なることもあれば重ならないこともある。例えば、提供者は、特定のタイプのリセラー等、参加者のグループを分別するため、２つ以上のチャネルマーケティングネットワークを有する。下記に述べるように、マーケティングコンテンツ、資金及びコンタクトデータは、それらがどのように当該参加者のチャネルマーケティングネットワークのメンバーによって販売され利用されるかに関して当該参加者によって特定される規則に従って、当該参加者が提供する。開示されたシステムは、特定の規則を実施して、チャネルマーケティングネットワークの間のマーケティング活動の分離とチャネルマーケティングネットワーク内でのマーケティング活動の抑制を可能にする。ある実施形態では、本明細書に述べるように、チャネルマーケティングネットワークは、自らの製品及び／又はサービスを市場に流通させるために当該マーケティングシステムを利用したいと望む単独の提供者からなる。ある実施形態では、この提供者が当該マーケティングシステムでは、リセラーとして登録され、マーケティングシステム自体は、その提供者として登録され、特に、マーケティングシステムがマーケティングコンテンツを作り出す。
【００２０】
マーケティングコンテンツには、提供者が提供する一つ以上の製品及び／又はサービスに関連する、宣伝広告及び画像、アニメーション、ビデオ及び／又は説明文等の他の販促用品が含まれ、当該製品及び／又はサービス自体だけでなく、割引額、プロモーション及び／又はそれらに関連する申込を記載している。マーケティングコンテンツは、郵便、電子メール、インターネット／ウェッブによる宣伝活動、テレマーケティング、あるいはそれらの組み合わせ等、一つ以上のメディア形式を通じての流通に適用可能な形態にある。さらに、マーケティングコンテンツは少なくとも部分的にカスタマイズ可能で、例えば、消費者が獲得した製品及び／又はサービスが由来する仲介者あるいはリセラーの名前を含めることができ、及び／又は提示された特定の消費者に対して宣伝のメッセージを送ったりする。ある実施形態では、マーケティングコンテンツは、主たる製品や割引申込の詳述等、所望の宣伝広告のパラメータを特定するだけでもよく、その際に、マーケティングシステムは、それに続く販売網のため、説明文や画像等、宣伝の製作に携わる。以下に述べるように、マーケティングコンテンツは、一般的に、提供者または仲介者が、マーケティングシステムに提供し、例えば、関連するリセラー等、関連するチャネルマーケティングネットワークに利用可能とされ、当該マーケティングシステムを通じて宣伝活動を行うのに利用される。
【００２１】
マーケティングコンテンツ、資金及びコンタクトデータはすべて、当該内容、資金もしくはコンタクトデータの使用を定める規則に従って提供される。当該規則は、マーケティングシステムによって実行され、マーケティングコンテンツ、資金データまたはコンタクトデータの提供者が、それらの利用を制限し、事業の目的が達成されることを保証することを可能にする。以下に述べるように、規則を特定し、一般的に、どの参加者が当該マーケティングコンテンツ、資金及びコンタクトデータにアクセスできるかということとともに、そのアクセスの範囲を制限する。
【００２２】
ある実施形態では、マーケティングコンテンツは、コンテンツ規則に従い、特定のチャネルマーケティングネットワーク等に利用可能とされたり同時表示されたり等、提供されるが、コンテンツ規則は、例えば、当該マーケティングコンテンツの使用料、当該マーケティングコンテンツの利用を望む参加者が修正した当該コンテンツの範囲、マーケティングコンテンツを利用できる期間等を定めている。例えば、コンテンツ規則は、マーケティングコンテンツの修正を制限し、リセラーが自己の名前を挿入することだけを許容するが、他にも、仲介者又はリセラーが提供した相互に関連する製品またはサービスの追加等の他の変更を制限するものである。コンテンツ規則によって提供者や仲介者等のマーケティングコンテンツの提供者は、そのコンテンツの使用を制御し、例えば、一貫性のあるブランド提示を保証するなど、そのマーケティングの目的の首尾一貫した利用を保証することができる。
【００２３】
すでに述べ詳細は以下に述べるが、提供者もしくは仲介者等の参加者は、マーケティングコンテンツまたはコンタクトデータを当該システムに提供し、マーケティングシステムを通じて、宣伝活動を行う目的で、チャネルマーケティングネットワークの他の参加者に利用可能にする。当該マーケティングコンテンツ及び／又はコンタクトデータの提供は無料であるか料金がかかる。さらに、マーケティングシステムは、特定の宣伝活動を実行するためには、費用がかかる。支払を容易にするために、マーケティングシステムは、参加者が資金データ及び資金規則を提供することを可能にするが、資金データには参加者に代わってマーケティングシステムが維持する口座に振り込まれる金銭等の資金、もしくはクレジットカードやデビットカード等の資金メカニズムを備え、別の参加者又は当該マーケティングシステムからのマーケティングコンテンツ及び／又はコンタクトデータを獲得する費用及び宣伝活動を行う費用を賄うために用いられる。更に、マーケティングシステムは、資金規則に従い、参加者が資金を別の参加者に提供したり、割り当てたりすることを許容し、マーケティングコンテンツまたはコンタクトデータを獲得したり、他には、宣伝活動を行うために用いられる。マーケティングシステムは、各参加者のための勘定を保有する。ある実施形態では、参加者は、要求を受けた者が答えることができる他の参加者からの資金の要求書を提出することもできる。または、それに加えて、参加者は、資金を他の参加者に割り当てることも可能である。いずれの場合も、資金は、宣伝活動の実行の全てあるいはその一部のみに及ぶ等、資金の使われ方を定める規則に従い、計上される。例えば、提供者は、資金が、宣伝活動の費用の半分を賄うように使われるだけであるという規則に従い、各リセラーに資金を割り当てる。参加者は、多様な資金源から資金を調達し、それに関連する資金規則を定めるような多様な資金源からの資金を組み合わせることが許される。例えば、提供者は、資金を提供して、リセラーが行う宣伝活動の費用の半分を賄い、他方で、仲介者が資金を提供し、残りの半分を賄う。更に、資金を提供者等のある参加者が、仲介者等の別の参加者に、又は、再分配のためにリセラーに割り当てる。資金は、更に、マーケティングコンテンツに特有のものであり、これによって、例えば、提供者が、他の何物でもなく、特定の宣伝活動に出資することができる。この様に、マーケティングシステムは、データ交換、金融仲介、市場及びサービス提供者として活動する。
【００２４】
コンタクトデータは、電子メールアドレス、電話番号、郵便住所等によって、一人以上の消費者を識別するデータであり、例えば、宣伝広告等のマーケティングコンテンツが、電子メール、郵便、電話、インターネット広告またはそれらの組み合わせ等によって向けられたものである。コンタクトデータは、さらに、消費者に関する顧客層情報及び個人情報を含むが、これらは、例えば、宣伝活動をさらに調整し管理するために用いられる。本明細書で用いられるように、コンタクト（ａ  ｃｏｎｔａｃｔ）とは、潜在的な受益者である消費者を指し、例えば、特定のマーケティングコンテンツをまだ受領していない消費者である。ターゲット（ａ  ｔａｒｇｅｔ）とは、特定のマーケティングコンテンツが送付されたり、提示されたり、あるいはその他、提供される消費者を指すが、必ずしも閲覧その他把握される必要はない。リード（ａ  ｌｅａｄ）とは、特定のマーケティングコンテンツが提供され、何等かの形で関心を示し、あるいは、他には、リンクを開いたり、さらなる情報を求めたり、他には、当該マーケティングコンテンツが宣伝した製品またはサービスを購入することを求めることで、マーケティングコンテンツに回答した消費者を指す。
【００２５】
コンタクトデータは、コンタクト規則に従って提供されるが、当該規則は、例えば、一人以上の消費者の一部を識別するコンタクトデータの少なくとも一部を、宣伝活動を実行するために一人の登録済み参加者が独占的にアクセスする期間と、一人以上のターゲットである消費者の一部を識別するコンタクトデータの少なくとも一部を、いかなるターゲットである消費者もリードとなるかどうかを見分けるためにマーケティング活動を行うことに続いて、登録済みの参加者が独占してアクセスできる期間、及び、一人以上の消費者の一部を識別するコンタクトデータの少なくとも一部を、リードが実際に製品を購入したかどうかを見分けるために、宣伝活動の実行に続いて、登録済みの参加者が独占してアセスすることができる期間を定める。この様に、提供者は、例えば、そのマーケティングチャネルの中からマーケティング活動を分別し、マーケットを分別するだけでなく、マーケティング活動の重複やリセラー間の非効率な競争を防ぐことができる。実質的には、参加者は、「チェックアウトする」他、独占期間の間、特定のコンタクトを保管することができ、他方で、こうしたコンタクトの提供者は、当該コンタクトが、時機を得て、マーケット活動等、利用されることを保証できる。
【００２６】
本明細書で述べるように、一般的に、登録済みの参加者は、マーケティングシステムにアクセスし、一つ以上のチャネルマーケティングネットワークを形成し、及び／又は、加わり、入手可能なマーケティングコンテンツを認識し、そのため、マーケティングシステムが一人以上の消費者の代わりに、一つ以上の宣伝活動を遂行することになる。宣伝活動を行うサービスの一部として、マーケティングシステムは、更に、例えば、ターゲットがリードとなるような、活動の結果物を獲得するが、クリックスルーその他の消費者の反応を決定することによる。これらの結果物は、総体的にまたは詳細に見て、宣伝活動を行った参加者に対して利用可能とされるが、更に、総体的にまたは詳細に見て、関連するチャネルマーケティングネットワークの他の参加者に対しても、利用可能とされる。更に、提供者等の参加者は、リセラー等のチャネルマーケティングネットワークにおける他の参加者の活動を監視でき、例えば、どれだけ宣伝活動をしてきたか、そして、その結果はどうであったかといったことを決定する。
【００２７】
好都合なことには、開示されたマーケティングシステムは、チャネルマーケティングネットワークの形成を単純化し、例えば、提供者がチャネルネットワークの相手方を引き込むことを容易にし、チャネルマーケティングネットワークの参加者間で、情報を安全に交換することを許容し、例えば、販促チャネルの階層の間の意思伝達を単純化する。このため、例えば、提供者は、マーケティング活動を導き抑制しようとし、結果に対する見通しを得て、チャネルの相手方が提供者のブランドを市場に流通することができるようにする。他のチャネルネットワークの参加者は、統一されたポータルスルーを提供され、多数の提供者と意思疎通し、マーケティングコンテンツ及びコンタクトデータを得て、宣伝活動を行い、その結果を見通す。開示されたシステムの資金調達メカニズムによって、チャネルの相手方は、提供者の資金源を活用することが可能となり、資金源が参加者を償還サイクルに引き入れるというよりはむしろ、リアルタイムで提供されその他割り当てられることを保証することで、提供者が出資活動を容易にする。
【００２８】
開示された実施形態のオペレーションの一つの具体例としては、提供者は、リセラーに宣伝販売してもらいたいと望む新製品を売り出す。提供者は、３通の個別のＥメール、２つのダイレクトメール、すべて利用可能なソーシャルメディアアウトレット用のコンテンツ、遠方のターゲット用のオンラインでの宣伝広告及びテレマーケティング経由のリード分類を含めた、統合されたマーケティング活動に資金を提供する。リセラーの５０パーセントは流通業者を通じて販売をし、他の５０パーセントは、自店勘定である。提供者は、活動の構成要素をマーケティングシステムにアップロードするが、当該システムによって、提供者のマーケティングチームは、統合された活動における各マーケティング要素の優先順位を定め、各構成要素に対する反応を試すことができる。提供者は、各要素のどの部分がリセラーによってカスタマイズされたかを決定する。それから、提供者は、集中したコンタクトデータベースをマーケティングシステムにアップロードし、リセラーに配布する。提供者は、リセラーが、当該活動をそのターゲットリストに載せ、また、集中的に集められた追加のリードを利用可能とすることを望む。提供者は、さらに、活動予算と割り当てを設定し、選択してリセラーごとの予算の上限を設定し、及び／又は、特定のリセラーのための償還百分率を設定するか、または、ディーラーが活動ごとの基準に基づいて、賛同を要求することを要求する。提供者は、リセラーに資金を直接提供するか、流通業者が個別のリセラーに割り当てるために、プールされた資金を流通業者に割り当てる。プールされた資金が、再割り当てのために、流通業者等の仲介者に与えられると、仲介者は、当該資金をリセラーに再割り当てするために、マーケティングシステムにアクセスするように通知される。プールされた資金を有する仲介者は、資金を割り当てるか、提供者のように、個別のリセラーのための同意を要求するかの同様の選択肢がある。リセラーは、当該活動について通知され、マーケティングシステムにアクセスし、カスタマイズし、名宛人となる、ターゲットたる消費者を定める。リセラーは、是認されたガイドラインの範囲内で、マーケティングコンテンツをカスタマイズし、どのソーシャルメディアアウトレットに郵送しようかを選択し、オンラインの広告主のためのパラメータを設定し、Ｅメールを対象とし、メール要素を適切なターゲットに仕向ける。リセラーは、集中型の提供者コンタクトデータベースからの地理的割り当ての見通しと自らのターゲットリストの双方を含めることができる。提供者からの集中した見通しは、チャネルの衝突を回避するため、個別のリセラーへの割り当てをロックし、時間で区切る。リセラーは、提供者、仲介者及び／又は自らの資金により利用可能な資金の組み合わせを用いて、当該活動を是認し、購入する。事前に承認された印刷業者及びテレマーケティングのベンダーは、当該注文について通知を受け、当該注文と事前に交渉済みの料金を勧めるためログインし、当該システムに構築される。マーケティングシステムは、リードの分類及び提供者、仲介者及びリセラーがアクセスを認めた結果物を追跡する。
【００２９】
図１を参照すると、ある実施形態に係るマーケティングシステム１００のブロック図が示されており、複数のマーケティングネットワークの複数の参加者１０４の間の複数のマーケティング活動の集中型管理を容易にしており、複数のマーケティング活動には、少なくとも、マーケティングコンテンツが提示される一人以上の消費者の決定とそれに対するマーケティングコンテンツの提供が含まれる。以下に述べるように、システム１００は、図３に関し以下で述べるようなコンピュータ４００等のコンピュータによって実行され、当該コンピュータには、プロセッサ４０２、プロセッサに接続するメモリー４０４を有し、インターネットあるいは他の有線及び／又は無線の独占的及び／又は非独占的のネットワーク４２０等のネットワーク１３０を通じて、参加者に接続する。
【００３０】
システム１００には、登録プロセッサ１０２が含まれ、コンピュータ４００のメモリー４０４に記憶された第１の論理によって実行され、プロセッサ４０２により実行可能であるか、その他、ネットワーク１３０を経由して、参加者１０４に接続するユーザー・インターフェース１１８を通じて、第１の参加カテゴリー又は第２の参加カテゴリーのうちの一つにあるものとして、当該マーケティングシステムに、複数の参加者１０４ａ乃至１０４ｎの各々を登録するように作動し、そこで、第１の参加カテゴリーに登録された参加者には、一人以上の消費者への販売のための一つ以上の製品またはサービスの提供元が含まれ、第２の参加カテゴリーに登録された参加者には、少なくとも一人以上の消費者１０６ａ乃至１０６ｎの一部に対して、一つ以上の製品またはサービスを再販売するリセラーが含まれる。例えば、第１の参加カテゴリーは、製造業者、ＯＥＭまたは特定のブランドの推進者等の提供者たる参加者を有する。第２の参加カテゴリーは、消費するよりはむしろ販売する意図で購入する者等、リセラーたる参加者を有する。リセラーが販売する一つ以上の製品またはサービスは、第１の参加カテゴリーに登録された参加者から得られる。ユーザー・インターフェース１１８は、ウェブに基づくか、以下に説明するプロセッサ４０２によって実行されるウェブのサーバーによって生み出される他のタイプのネットワークのアクセス可能なインターフェースである。開示されたマーケティングシステム１００は、参加者１０４ａ乃至１０４ｎの参加者等、ユーザーによってアクセスされ、適切な装置、携帯機器等を用いて、ウェブブラウザープログラム等の適切な独自仕様または非独自仕様のソフトウェアとネットワーク１３０を通じたマーケティングシステム１００への有線または無線の接続等の適切なネットワーク接続体を有する。
【００３１】
システム１００には、又、メモリー１００に記憶されるデータベース１０８が含まれるが、当該メモリーは、メモリー４０４と同じか異なっていてもよく、登録プロセッサ１０２に接続しており、複数の参加者記録を保存するように作動し、複数の参加者記録１３２の各々は、複数の登録済みの参加者１０４ａ乃至１０４ｎの一人と関連し、第１または第２の参加カテゴリーのうちの一つに登録されているものとして関連する参加者１０４を特徴づける参加者データを保存しており、複数の参加者記録１３２の各々は、更に、複数のマーケティングネットワークのうちの少なくとも一つのマーケティングネットワークに属する関連した参加者１０４を表示するネットワークデータを保存する。本明細書で、「〜に接続した」という語句は、一つ以上の仲介要素を通じて直接的、または、間接的に接続していることを意味する。当該仲介要素には、ハードウェア及びソフトウェアに基づく要素が含まれる。
【００３２】
システム１００には、更に、マーケティングコンテンツプロセッサ１１２が含まれ、メモリー４０４に記憶された第２の論理として実行され、メモリー１１０に接続し、プロセッサ４０２その他によって実行可能であるか、その他ユーザー・インターフェース１１８／ネットワーク１３０等を経由して、第１のマーケティングコンテンツ１３４及びそれに関連する第１のコンテンツ規則１３６を第１の参加カテゴリーに登録される第１の登録済み参加者１０４から受け取り、データベース１０８に第１のマーケティングコンテンツ及び第１のコンテンツ規則を保存し、保存された第１のマーケティングコンテンツ１３４に対するアクセスを、第１の参加カテゴリーには登録されていないが、第１のコンテンツ規則１３６に従って、第１の登録済み参加者が帰属する複数のマーケティングネットワークの第１のマーケティングネットワークに属する複数の登録済み参加者１０４ａ乃至１０４ｎの他の登録済み参加者の第１の集団に許容するように作動する。例えば、チャネルマーケティングネットワークは、２人以上の参加者たる提供者を有することができるが、一方の提供者は、他方の提供者が提供したマーケティングコンテンツ１３４にアクセスすることはできないが、メッセージ等の他のデータ及び他の情報は、同じチャネルマーケティングネットワーク内で、自由に、提供者間で共有できる。別の実施形態では、マーケティングコンテンツ１３４を共有する提供者間では、例えば、試供品や共生製品等のために、共同出資の製品または共同の製品マーケティングを容易にすること等が許容される。第１のコンテンツ規則１３６は、第１のマーケティングコンテンツ１３４が他の登録済み参加者１０４ａ乃至１０４ｎの第１の集団の登録済み参加者１０４によって修正された範囲と、第１のマーケティングコンテンツ１３４を他の登録済み参加者１０４ａ乃至１０４ｎまでの第１の集団の登録済み参加者が独占的にアクセスできる期間と、他の登録済み参加者１０４ａ乃至１０４ｎの第１の集団の一人の登録済み参加者が第１のマーケティングコンテンツを購入する費用を定義している。
【００３３】
システム１００には、更に、資金プロセッサ１１４が含まれ、メモリー４０４に記憶された第３の論理によって実行されるが、メモリー１１０に接続し、プロセッサ４０２により実行可能で、その他、ユーザー・インターフェイス１１８／ネットワーク１３０を通じて、第１の登録済み参加者１０４から、関連する第１の資金データ１３８及びそれに関連する第１の資金規則１４０を受け取り、第１の資金データ１３８第１の資金規則１４０をデータベース１０８に保存するように作動し、第１の資金データは、第１の資金規則１４０に従い、第１のマーケティングコンテンツ１３４に関し、他の登録済み参加者１０４ａ乃至１０４ｎの第１の集団の少なくとも一人の登録済み参加者による複数のマーケティング活動の少なくとも一つの少なくとも一部に間接的に資金調達するのに利用可能な第１の資金を定める。第１の資金規則１４０は、少なくとも一つの条件を定めるが、その下では、第１の資金の少なくとも一部は、他の登録済み参加者１０４ａ乃至１０４ｎの第１の集団の一人の登録済み参加者１０４に提供され、第１のマーケティングコンテンツ１３４に関し、複数のマーケティング活動の少なくとも一つに資金を提供する。例えば、第１の資金規則１４０は、活動のある一定の割合が第１の資金を利用したために支払われ、残りは、登録済み参加者１０４に賄われる。
【００３４】
ある実施形態では、登録プロセッサ１０２は、更に、マーケティングシステム１００に、複数の参加者１０４ａ乃至１０４ｎの各々を第１の参加カテゴリー、第２の参加カテゴリーあるいは第３の参加カテゴリーの内の一つにあることを登録するように作動し、例えば仲介者である参加者等、第３の参加カテゴリーに登録された参加者１０４には、第１の参加カテゴリーに登録された登録済み参加者１０４から得た１つ以上の製品又はサービスを、第２の参加カテゴリーに登録された一人以上の登録済み参加者１０４ａ乃至１０４ｎによる一人以上の消費者の少なくとも一部へと販売することを容易にするものが含まれる。例えば、各仲介者である参加者は、流通業者、組織体、協会、団体あるいはそれらの結合体の中の一つである。ある実施形態では、複数のマーケティングネットワークの各々は、第１の参加カテゴリーに登録されている一人の参加者のみ、及び、第の２参加カテゴリーに登録されている少なくとも一人の参加者を有する。
【００３５】
マーケティングコンテンツプロセッサ１１２は、更に、第２のマーケティングコンテンツ１３４及びそれに関連する第２のコンテンツ規則１３６を、第３の参加カテゴリーに登録済みの第２の登録済み参加者１０４から受領し、データベース１０８に第２のマーケティングコンテンツ１３４及び第２のコンテンツ規則１３６を保存し、保存された第２のマーケティングコンテンツ１３４へのアクセスを、第２のコンテンツ規則に従って第２の登録済み参加者１０４が属する、複数のマーケティングネットワークの第２のマーケティングネットワークに属する複数の登録済み参加者１０４ａ乃至１０４ｎの別の登録済み参加者１０４ａ乃至１０４ｎの少なくとも第２の集団に許容するように作動する。第１のマーケティングネットワークは、第２のマーケティングネットワークと同じでもよく、例えば、一人以上の参加者を共有するなど、第２のマーケティングネットワークに重なるか、または、第２のマーケティングネットワークからは完全に別であってもよい。
【００３６】
資金プロセッサ１１４は、更に、第２の資金データ１３８及びそれに関連する第２の資金規則１４０を第２の登録済み参加者１０４から受け取り、第２の資金データ１３８及び第２の資金規則１４０をデータベースに保存するように作動し、第２の資金データ１３８は、第２の資金規則１４０に従い、第２のマーケティングコンテンツ１３４に関連する他の登録済み参加者１０４ａ乃至１０４ｎの第２の集団の少なくとも一人の登録済み参加者による複数のマーケティング活動の少なくとも一つの少なくとも一部に間接的にでも資金を提供するために利用可能な第２の資金を規定する。ある実施形態では、第１の資金データ１３８は、更に、第１の資金規則に従って、第２のマーケティングコンテンツ１３４に関連する他の登録済み参加者の第２の集団の登録済み参加者の少なくとも一人による複数のマーケティング活動の少なくとも一つの少なくとも一部に間接的にでも資金を提供するために利用できる第３の資金を規定する。第２の資金には、少なくとも第１の資金の一部が含まれ、第１の登録済み参加者１０４により提供される第１の資金規則１４０に従う等、他の登録済み参加者１０４ａ乃至１０４ｎの第２の集団の少なくとも一人の登録済み参加者に対して、第１の資金の一部を再度割り当てる。
【００３７】
資金プロセッサ１１４は、更に、第２の資金データ１３８及びそれと関連する第２の資金規則１４０を第２の登録済み参加者１０４から受け取り、データベース１０８に第２の資金データ１３８及び第２の資金規則１４０を保存し、第２資金データ１３８は、第１の資金規則１４０に従い、第１のマーケティングコンテンツ１３４に関し、他の登録済み参加者の第１の集団の少なくとも一人の登録済み参加者による複数のマーケティング活動の少なくとも一つの一部に間接的にでも資金を提供するために利用できる第２の資金を定める。例えば、仲介者たる参加者は、提供者たる参加者のマーケティング活動に共同出資する。
【００３８】
ある実施形態では、システム１００には、更に、メモリー１１０に接続するコンタクトプロセッサ１１６が含まれるが、当該プロセッサは、ユーザー・インターフェース１１８／ネットワーク１３０等を経由して、コンタクトデータ１４２及びそれに関連するコンタクト規則１４４を、第１の参加カテゴリーに登録されている第２の登録済み参加者１０４から受け取り、データベース１０８にコンタクトデータ１４２及びコンタクト規則１４４を保存し、保存されたコンタクトデータ１４２に対するアクセスを、コンタクト規則１４４に従って、他の登録済み参加者１０４ａ乃至１０４ｎの少なくとも第１の集団に許容するように作動する。コンタクトデータ１４２には、マーケティングコンテンツ１３４が提示される一人以上の消費者１０６の識別が含まれ、コンタクト規則１４４は、一人以上の消費者１０６の第１の集団を識別するコンタクトデータ１４２の少なくとも一部が、他の登録済み参加者１０４ａ乃至１０４ｎの第１の集団の少なくとも一人の登録済み参加者により独占的にアクセスされ、マーケティングコンテンツ１３４を一人以上の消費者１０６ａ乃至１０６ｎの第１の集団に提示する第１の期間と、一人以上の消費者１０６ａ乃至１０６ｎの第２の集団を識別するコンタクトデータ１４２の少なくとも一部を、一人以上の消費者１０６ａ乃至１０６ｎの第２の集団に対するマーケティングコンテンツ１３４の提示に続いて、他の登録済み参加者１０４ａ乃至１０４ｎの第１の集団の登録済み参加者１０４のいずれかが独占的にアクセスする第２の期間と、少なくとも一人以上の消費者１０６ａ乃至１０６ｎの第３の集団を識別するコンタクトデータの少なくとも一部が、提示されたマーケティングコンテンツ１３４に関心を示した一人以上の消費者１０６ａ乃至１０６ｎの第３の集団に対するマーケティングコンテンツ１３４の提示に続いて、他の登録済み参加者１０４ａ乃至１０４ｎの第１の集団の登録済み参加者１０４のいずれかにより独占的にアクセスされる第３の期間あるいはそれらの組み合わせを定める。
【００３９】
または、それに加えて、コンタクトプロセッサ１１６は、メモリー１１０に接続し、コンタクトデータ１４２及びそれに関連するコンタクト規則１４４を第２の参加カテゴリーに登録された第２の参加者１０４から受け取り、データベース１０８にコンタクトデータ１４２及びコンタクト規則１４４を保存し、複数の登録済み参加者１０４ａ乃至１０４ｎの他の登録済み参加者１０４ａ乃至１０４ｎによる保存されたコンタクトデータ１４４へのアクセスを防ぐように作動する。
【００４０】
ある実施形態では、登録プロセッサ１０２は、さらに、ユーザー・インターフェース１１８／ネットワーク１３０を経由して、一人の登録済み参加者１０４から指示を受け取り、複数のマーケティングネットワークの少なくとも一つのマーケティングネットワークに加わり、それに従い、それぞれの参加者記録１３２を更新するように作動する。少なくとも一つのマーケティングネットワークには、第１の参加カテゴリーに登録された少なくとも一人の登録済み参加者１０４が含まれるが、登録プロセッサ１０２は更に、要求を送信し、当該登録済み参加者１０４が少なくとも一つのマーケティングネットワークに加わることを許容するように作動するが、更新は、肯定的な回答の受け取り次第であり、例えば、提供者である参加者は、リセラーあるいは仲介者である参加者のそのチャネルマーケティングネットワークへの追加することを是認することが求められている。または、それに加えて、参加する提供者、仲介者及び／又はリセラー１０４ａ乃至１０４ｎは、他の参加者１０４ａ乃至１０４ｎをそれぞれのチャネルマーケティングネットワークに加わるように招くことができ、当該指示は当該招待に対して受け取られ、ユーザー・インターフェース１１８及び／又はネットワーク１３０を経由して、少なくとも一つのマーケティングネットワークに属する別の登録済み参加者１０４によって、一人の登録済み参加者１０４に送信される少なくとも一つのマーケティングネットワークに加わる。ある実施形態では、未登録の参加者は、加わるように招かれず、例えば、登録済み参加者１０４は、マーケティングシステム１００の登録に先立って招待を受ける。
【００４１】
ある実施形態では、登録プロセッサ１０２は、指示を受け取る前に、ユーザー・インターフェース１１８／ネットワーク等を経由して、当該登録済み参加者１０４に対して、複数のマーケティングネットワークの利用可能なマーケティングネットワークのリストを提示し、当該登録済み参加者１０４からの選択を受け取り、利用可能なマーケティングネットワークの少なくとも一つに加わる。登録プロセッサ１０２は、当該リストの提示の前に、少なくとも一つのマーケティングネットワークに属する別の登録済み参加者１０４から、少なくとも一つのマーケティングネットワークに加わることが許容されている、他の登録済み参加者１０４ａ乃至１０４ｎの集団の詳述を受け取るように作動し、利用可能なマーケティングネットワークのリストは、それによって、規制される。
【００４２】
ある実施形態では、マーケティングコンテンツプロセッサ１１２は、更に、第２のマーケティングコンテンツ１３４とそれに関連する第２のコンテンツ規則１３６を、例えば、別の提供者である参加者等、第１の参加カテゴリーに登録されている第２の登録済み参加者１０４から受け取り、データベース１０８に第２のマーケティングコンテンツ１３４及び第２のコンテンツ規則１３６を保存し、保存された第２のマーケティングコンテンツ１３４に対するアクセスを、例えば、別のチャネルマーケティングネットワーク等、第１の参加カテゴリーに登録されておらず、第２のコンテンツ規則１３６に従い、第２の登録済み参加者１０４が属する、複数のマーケティングネットワークの第２のマーケティングネットワークに帰属する複数の登録済み参加者１０４ａ乃至１０４ｎの他の登録済み参加者１０４ａ乃至１０４ｎの少なくとも第２の集団に許容するように作動する。更に、資金プロセッサ１１４は、第２の資金データ１３８及びそれに関連する第２の資金規則１４０を第２の登録済み参加者１０４から受け取り、データベース１０８に第２の資金データ１３８及び第２の資金規則１４０を保存するように作動するが、第２の資金データ１３８は、第２の資金規則に従い、第２のマーケティングコンテンツ１３４に関し、他の登録済み参加者１０４ａ乃至１０４ｎの第２の集団の少なくとも一人の登録済み参加者による複数のマーケティング活動のうちを少なくとも一つの少なくとも一部を間接的にでも資金を提供できるように第２の資金規則１４０を定めている。第１及び第２の登録済み参加者１０４は、同じであるか異なっており、他の登録済み参加者１０４ａ乃至１０４ｎの第１の集団は、他の登録済み参加者１０４ａ乃至１０４ｎと同じであるか、重複するか、または異なっていてもよい。この様に、提供者は、コンテンツ特定規則１３６に従い、多数のチャネルマーケティングネットワークを有し、及び／又は、異なるマーケティングコンテンツ１３４を分配してもよい。
【００４３】
ある実施形態では、システム１００にはさらに、少なくとも一つの宣伝活動を行うように作動するキャンペーンプロセッサ１２０が含まれ、第１のマーケティングコンテンツ１３４は、宣伝活動のための販促用品を有し、第１のマーケティングコンテンツ１３４を一人以上の消費者１０６ａ乃至１０６ｎに提示するが、当該宣伝活動は、電子メール、郵便、携帯電話もしくは固定電話、ホームページ、ショート・メッセージ・サービス（ＳＭＳ）あるいはマルチメディア・メッセージング・サービス（ＭＭＳ）、インスタントメッセージその他の電子媒体もしくはそれらの組み合わせ等の一つ以上のコミュニケーション媒体によって、マーケティング情報等の伝達のため、キャンペーンプロセッサ１２０によって行われ、第三者であるサービスプロバイダーが提供及び／又は操作する。宣伝活動を行うために、キャンペーンプロセッサ１２０は、特定の媒体で特定の宣伝活動を実行する一人以上の第三者たるサービスプロバイダー（図示せず）に接続し統合する。例えば、キャンペーンプロセッサ１２０は、テレビ広告をするために、テレビスタジオに接続し、ウェッブサイトで宣伝広告を行うため、ＦａｃｅｂｏｏｋＴＭ等のソーシャルメディアに接続し、世界中のウェッブサイトで宣伝広告するためにＤｏｕｂｌｅＣｌｉｃｋＴＭ、ＧｏｏｇｌｅＴＭインターネットによる宣伝広告サービスあるいは広告ネットワークに接続する。このように、当該マーケティングシステムは、第三者のマーケティングサービスの集積者であり、集中型提供者として作用する。一人以上の消費者１０６ａ乃至１０６ｎの各々には、第１のマーケティングネットワークに帰属する登録済み参加者によって提供されたコンタクトデータ１４２から選ばれたターゲットたる消費者１０６が含まれ、キャンペーンプロセッサ１２０は、宣伝活動に続いて、第１のマーケティングコンテンツ１３４における関心を示す一人以上の選ばれたターゲットたる消費者１０６ａ乃至１０６ｎのうちの一人からなる少なくとも一つのリードを決定するように作動する。キャンペーンプロセッサ１２０は、更に、宣伝活動を行うように作動し、第１のマーケティングコンテンツ１３４を、第１のマーケティングネットワークに属する登録済み参加者１０４ａ乃至１０４ｎのうちの少なくとも一人に代わって、一人以上の消費者１０６ａ乃至１０６ｎに提示する。更に、第１のコンテンツ規則１３６は、少なくとも一人の登録済み参加者１０４が、実行の前に、第１のマーケティングコンテンツ１３４を修正することが許容される範囲を規定し、キャンペーンプロセッサ１２０は、更に、第１のコンテンツ規則１３６に従って、第１のマーケティングコンテンツ１３４の修正の仲立ちをするように作動し、宣伝活動の実施に先立って、修正を許容し、加減し、妨げたりする。ある実施形態では、キャンペーンプロセッサ１２０は、実行に続いて、宣伝活動の結果を評価し、第１の登録済み参加者１０４に対する評価にアクセスすることを許容するように作動する。更に、キャンペーンプロセッサ１２０は、第１の登録済み参加者が、宣伝活動に関心を示す一人以上の消費者１０６ａ乃至１０６ｎの識別にアクセスできないように作動する。さらに、宣伝活動の実行は、当該活動を行うためにシステム１００にかかるコスト等のコストに特徴があり、さらに、第１の資金データ１３８は、第３の参加者１０４と関連のある口座への第１の資金の第１の割り当てを含み、それに関連する第１の資金規則１４０は、複数の参加者１０４ａ乃至１０４ｎの関連する第１の集団の少なくとも一つが資金の第１の割り当ての少なくとも一部に対して権限を有し、宣伝活動の実行コストの少なくとも一部を賄う。
【００４４】
図２を参照すると、ある実施形態に係る、図１のシステムのオペレーションを図示したフローチャートが示されている。特に、コンピュータによって実行される方法は、マーケティングシステム１００により、複数のマーケティングネットワークの複数の参加者１０４ａ乃至１０４ｎの間の複数のマーケティング活動の集中型管理を容易にするために示しており、複数のマーケティング活動には、少なくとも、マーケティングコンテンツが提示される一人以上の消費者１０６ａ乃至１０６ｎの決定と、それに対するマーケティングコンテンツの提供が含まれ、当該コンピュータには、プロセッサ４０２及びそれに接続するメモリー１１０／４０４が含まれ、プロセッサ４０２によって実行可能な適切なプログラムコードを記憶している。
【００４５】
オペレーションには以下のものが含まれる：すなわち、プロセッサ４０２によって、第１の参加カテゴリーまたは第２の参加カテゴリーのうちの一つにあるものとして、複数の参加者１０４ａ乃至１０４ｎの各々をマーケティングシステム１００に登録することであって、第１の参加カテゴリーに登録済みの参加者１０４は、例えば、製造業者、ＯＥＭその他ブランド推進者等の提供者等の一つ以上の製品またはサービスを一人以上の消費者１０６ａ乃至１０６ｎに販売する提供元を含み、第２の参加カテゴリーに登録済みの参加者１０４は、消費することよりはむしろ販売する意図で購入する者等、一人以上の消費者１０６ａ乃至１０６ｎの少なくとも一部に対する一つ以上の製品のリセラーを含む（ブロック２０２）；次に、メモリー１１０／４０４に記憶され、複数の参加者記録１３２を保存するように作動するデータベース１０８を提供することであって、複数の参加者記録１３２の各々は、複数の登録済み参加者１０４ａ乃至１０４ｎの内の一つと関連しており、関連する参加者１０４を、第１または第２の参加カテゴリーのうちの一つに登録されているものとして特徴づける参加データを保存するが、複数の参加記録１３２の各々は、更に、複数のマーケティングネットワークの少なくとも一つのマーケティングネットワークに属する関連した参加者１０４を示唆するネットワークデータをさらに保存している（ブロック２０４）；さらに、第１のマーケティングコンテンツ１３４とそれに関連する第１のコンテンツ規則１３６を第１の参加カテゴリーに登録済みの第１の登録済み参加者１０４から受け取り、データベース１０８に第１のマーケティングコンテンツ１３４及び第１のコンテンツ規則１３６を保存し、保存された第１のマーケティングコンテンツ１３４に対するアクセスを、第１の参加カテゴリーに登録されていないが、第１のコンテンツ規則に従い、第１の登録済み参加者１０４が属する複数のマーケティングネットワークの第１のマーケティングネットワークに属する他の複数の登録済み参加者１０４ａ乃至１０４ｎの少なくとも一部に許容することである（ブロック２０６）；そして、第１の資金データ１３８及びそれに関連する第１の資金規則１４０を第１の登録済み参加者１０４から受け取り、第１の資金データ及び第１の資金規則１４０をデータベース１０８に保存することであり、第１の資金データ１３８は、第１の資金規則に従い、第１のマーケティングコンテンツ１３４に関して、他の登録済み参加者１０４ａ乃至１０４ｎの第１の集団の少なくとも一人の登録済み参加者１０４による複数のマーケティング活動の少なくとも一つの少なくとも一部に間接的にでも資金を提供するために利用可能な第１の資金を定めている（ブロック２０８）。
【００４６】
第１のコンテンツ規則１３６は、第１のマーケティングコンテンツ１３４が、他の登録済み参加者１０４ａ乃至１０４ｎの第１の集団の登録済み参加者によって修正される範囲、第１のマーケティングコンテンツ１３４を他の登録済み参加者１０４ａ乃至１０４ｎの第１の集団の登録済み参加者１０４が独占してアクセスできる期間、第１のマーケティングコンテンツ１３４を他の登録済み参加者１０４ａ乃至１０４ｎの第１の集団の登録済み参加者１０４が購入するコスト、あるいは、その組み合わせを定める。第１の資金規則１４０は、第１の資金の少なくとも一部が、他の登録済み参加者１０４ａ乃至１０４ｎの第１の集団の登録済み参加者１０４に提供され、第１のマーケティングコンテンツ１３４に関し、複数のマーケティング活動の少なくとも一つに資金を提供する、少なくとも一つの条件を定める。
【００４７】
ある実施形態では、第２の参加カテゴリーに登録済みの参加者１０４には、第１のカテゴリーに登録済みの参加者１０４から獲得した一つ以上の製品のリセラーが含まれる。
【００４８】
ある実施形態では、登録には、更に、マーケティングシステム１００に複数の参加者１０４ａ乃至１０４ｎの各々を第１の参加カテゴリー、第２の参加カテゴリーもしくは第３の参加カテゴリーのうちの一つにあるものとして、登録することが含まれ、第３の参加カテゴリーに登録された参加者１０４には、第１の参加カテゴリーに登録済みの参加者１０４から獲得した一つ以上の製品又はサービスを、例えば、流通業者、組織体、協会、団体その他それらの組み合わせ等の第２の参加カテゴリーに登録された一人以上の登録済み参加者１０４ａ乃至１０４ｎによって、一人以上の消費者１０６ａ乃至１０６ｎの少なくとも小集団への販売を容易にするものを含む（ブロック２１０）。
【００４９】
ある実施形態では、複数のマーケティングネットワークの各々には、第１の参加カテゴリーに登録された参加者１０４の１人のみ、及び第２の参加カテゴリーに登録された少なくとも一人の参加者１０４が含まれる。
【００５０】
ある実施形態では、開示されたシステム１００のオペレーションには、更に、第２のマーケティングコンテンツ１３４及びそれに関連した第２のコンテンツ規則１３６を第３の参加カテゴリーに登録された第２の登録済み参加者１０４から受け取り、データベース１０８に第２のマーケティングコンテンツ１３４及び第２のコンテンツ規則１３６に保存し、保存された第２のマーケティングコンテンツ１３４に対するアクセスを、第２のコンテンツ規則１３６に従い、第２の登録済み参加者１０４が帰属する、複数のマーケティングネットワークの第２のマーケティングネットワークに属する複数の登録済み参加者１０４ａ乃至１０４ｎの他の登録済み参加者１０４ａ乃至１０４ｎの少なくとも第２の集団に許容することが含まれる（ブロック２１２）。第１のマーケティングネットワークは、第２のマーケティングネットワークと同じか、重複するか、または異なる。
【００５１】
ある実施形態では、開示されたシステム１００のオペレーションには、さらに、第２の資金データ１３８及びそれに関連した第２の資金規則１４０を第２の登録済み参加者１０４から受け取り、データベース１０８に第２の資金データ１３８及び第２の資金規則１４０を保存することが含まれるが、第２の資金データ１３８は、第１の資金の少なくとも一部を含む、第２の資金を定め、第２の資金規則１４０に従って、第２のマーケティングコンテンツ１３８に関し、他の登録済み参加者１０４ａ乃至１０４ｎの第２の集団の登録済み参加者１０４の少なくとも一人による複数のマーケティング活動の少なくとも一つの少なくとも一部に間接的にでも資金を提供するために利用可能である（ブロック２１４）。ある実施形態では、第１の資金データ１３８は、更に、第１の資金規則１４０に従って、第２のマーケティングコンテンツ１３４に関し、他の登録済み参加者１０４ａ乃至１０４ｎの第２の集団の登録済み参加者１０４の少なくとも一人による複数のマーケティング活動の少なくとも一つの少なくとも一部に間接的にでも資金を提供するために利用可能な第３の資金を定める。
【００５２】
または、それに加えて、開示されたシステム１００のオペレーションには、第２の資金データ１３８及びそれに関連する第２の資金規則１４０を第２の登録済み参加者１０４から受け取り、データベース１０８に第２の資金データ及び第２の資金規則１４０を保存することが含まれ、第２の資金データ１３８は、第１の資金規則１４０に従い、第１のマーケティングコンテンツ１３４に関し、他の登録済み参加者１０４ａ乃至１０４ｎの第１の集団の登録済み参加者の少なくとも一人による複数のマーケティング活動のうち少なくとも一つの少なくとも一部を間接的にでも資金を提供するために利用可能な第２の資金を特定する（ブロック２１６）。
【００５３】
ある実施形態では、開示されたシステムのオペレーションには、コンタクトデータ１４２及びそれに関連するコンタクト規則１４４を第１の参加カテゴリーに登録された第２の登録済み参加者１０４から受け取り、データベース１０８にコンタクトデータ１４２及びコンタクト規則１４４を保存し、保存されたコンタクトデータ１４２に対するアクセスを、コンタクト規則１４４に従って、他の登録済み参加者１０４ａ乃至１０４ｎの少なくとも第１の集団に許容することが含まれる。コンタクトデータ１４２には、マーケティングコンテンツ１３４が提示されることになる一人以上の消費者１０６ａ乃至１０６ｎの識別が含まれるが、コンタクト規則１４４は、一人以上の消費者１０６ａ乃至１０６ｎの第１の集団を識別するコンタクトデータ１４２の少なくとも一部が、他の登録済み参加者の第１の集団の登録済み参加者１０４が独占的にアクセスし、マーケティングコンテンツ１３４を一人以上の消費者１０６ａ乃至１０６ｎに提示する第１の期間と、一人以上の消費者１０６ａ乃至１０６ｎの第２の集団を識別するコンタクトデータ１４２の少なくとも一部が、マーケティングコンテンツ１３４の一人以上の消費者１０６ａ乃至１０６ｎの第２の集団に対する提示に続いて、他の登録済み参加者の第１の集団の登録済み参加者１０４が独占的にアクセスする第２の期間と、一人以上の消費者１０６ａ乃至１０６ｎの第３の集団を識別するコンタクトデータ１４２の少なくとも一部が、提示されたマーケティングコンテンツ１３４に関心を示している一人以上の消費者１０６ａ乃至１０６ｎの第３の集団へのマーケティングコンテンツ１３４の提示に続いて、他の登録済み参加者１０４ａ乃至１０４ｎの第１の集団の登録済み参加者１０４が独占的にアクセスできる第３の期間あるいはそれらの組み合わせを定めている。
【００５４】
または、それに加えて、開示されたシステムのオペレーションには、コンタクトデータ１４２及びそれに関連するコンタクト規則１４４を第２の参加カテゴリーに登録された第２の参加者１０４から受け取り、データベース１０８にコンタクトデータ１４２及びコンタクト規則１４４を保存し、複数の登録済み参加者のうち他の登録済み参加者が、保存されたコンタクトデータにアクセスすることを妨げることが含まれる（ブロック２２０）。
【００５５】
ある実施形態では、開示されたシステム１００のオペレーションには、ある登録済み参加者１０４から、複数のマーケティングネットワークの少なくとも一つ加わるようにとの指示を受け取り、それに従って、それぞれの参加者記録１３２を更新することが含まれる（ブロック２２２）。少なくとも一つのマーケティングネットワークには、それに属する第１の参加カテゴリーに登録済みの少なくとも一人の参加者１０４が含まれ、当該方法には、更に、一人の登録済み参加者１０４が少なくとも一つのマーケティングネットワークに加わることを許容する要求を送信し、更新が肯定的な回答を受け取ることを条件としている（ブロック２２４）。更に、当該指示は、少なくとも一つのマーケティングネットワークに加わるようにとの招待を受け取り、それに回答するが、しかも、一人の参加者のマーケティングシステムの登録の前に受け取り、少なくとも一つのマーケティングネットワークに属する登録済み参加者によって、別の登録済み参加者に送信される。ある実施形態では、開示されたシステム１００のオペレーションには、さらに、受け取りの前に、複数のマーケティングネットワークのうちで利用可能なマーケティングネットワークのリストを一方の登録済み参加者に提示し、当該一方の登録済み参加者１０４からの選択を受け取り、利用可能なマーケティングネットワークのうち少なくとも一つに加わることが含まれる（ブロック２２８）。または、それに加えて、開示されたマーケティングシステムのオペレーションには、提示の前に、少なくとも一つのマーケティングネットワークに加わることが許された他の登録済み参加者の集団の詳述を、少なくとも一つのマーケティングネットワークに属する別の登録済み参加者１０４から受け取ることも含まれるが、利用可能なマーケティングネットワークのリストは、それによって、制限される（ブロック２３０）。
【００５６】
ある実施形態では、開示されたシステム１００のオペレーションには、さらに、以下のことが含まれる。まず、第２のマーケティングコンテンツ１３４及びそれに関連する第２のコンテンツ規則１３６を、第１の参加者１０４とは異なり、第１の参加カテゴリーに登録済みの第２の登録済み参加者１０４から受け取り、データベース１０８に第２のマーケティングコンテンツ１３４及び第２のコンテンツ規則１３６を保存させ、保存された第２のマーケティングコンテンツ１３４に対して、第１の集団とは異なり第１の参加カテゴリーに登録されておらず、第２のコンテンツ規則１３６に従い、第２の登録済み参加者１０４が属している、複数のマーケティングネットワークの第２のマーケティングネットワークに属している、複数の登録済み参加者１０４ａ乃至１０４ｎのうちの他の登録済み参加者１０４ａ乃至１０４ｎの少なくとも第２の集団によるアクセスを許容することである。また、第２の資金データ１３８及びそれに関連する第２の資金規則１４０を、第２の登録済み参加者から受け取り、データベース１０８に第２の資金データ１３８及び第２の資金規則１４０を保存することであるが、第２の資金データ１３８は、第２の資金規則に従い、第２のマーケティングコンテンツ１３４に関し、他の登録済み参加者１０４ａ乃至１０４ｎの第２の集団の少なくとも一人の登録済み参加者１０４による複数のマーケティング活動の少なくとも一つの少なくとも一部に間接的にせよ資金を提供するために利用可能な第２の資金を特定する。（ブロック２３４）
【００５７】
ある実施形態では、第１のマーケティングコンテンツ１３４には、一人以上の消費者１０６ａ乃至１０６ｎに対して第１のマーケティングコンテンツ１３４を提示するために宣伝活動のための販促用品が含まれ、当該宣伝活動は、電子メール、郵便、電話、ホームページその他の電子または電子以外の媒体またはそれらの組み合わせを経由して、マーケティングシステム１００によって実行される。更に、一人以上の消費者１０６ａ乃至１０６ｎの各々には、第１のマーケティングネットワークに属する登録済み参加者１０４によって提供されるコンタクトデータ１４２から選択されたターゲットたる消費者１０６が含まれ、開示されたシステム１００のオペレーションには、宣伝活動の実行に続いて、マーケティングコンテンツに関心を示した一人以上の選択されたターゲットたる消費者１０６ａ乃至１０６ｎのうちの一人を含む少なくとも一つのリードを決定することが含まれる（ブロック２３６）。
【００５８】
開示されたシステム１００のオペレーションには、更に、第１のマーケティングネットワークに属する登録済み参加者１０４ａ乃至１０４ｎのうちの少なくとも一人の代わりに一人以上の消費者１０６ａ乃至１０６ｎに対して第１のマーケティングコンテンツ１３４を提示するために広告宣伝活動を実行することが含まれる。（ブロック２３８）第１のコンテンツ規則１３６は、少なくとも一人の登録済み参加者１０４が、実行の前に、第１のマーケティングコンテンツ１３４を変更することが許容される範囲を特定し、その範囲で、開示されたマーケティングシステム１００のオペレーションには、第１のコンテンツ規則１３６に従い、第１のマーケティングコンテンツ１３４の変更を仲介することが含まれ、実行の前に、その変更を許容し、または、阻止する（ブロック２４０）。
【００５９】
開示された実施形態のオペレーションには、また、実行に続いて、宣伝活動の結果を評価し、第１の登録済み参加者１０４の評価へのアクセスを許容することも含まれる（ブロック２４２）。ある実施形態では、当該オペレーションには、更に、第１の登録済み参加者１０４が、当該宣伝活動に関心を示した一人以上の消費者１０６ａ乃至１０６ｎの同一性にアクセスすることを阻止することが含まれる（ブロック２４４）。
【００６０】
宣伝活動の実行は、コストに特徴があり、更に、第１の資金データ１３８は、第３の参加者１０４に関連する口座に対する第１の資金の第１の割り当てを備え、それと関連する第１の資金規則は、複数の参加者１０４ａ乃至１０４ｎの関連する第１の集団の内の少なくとも一つが、宣伝活動の実行コストの少なくとも一部にわたる資金の第１の割り当ての少なくとも一部分を取得する権利を有する範囲を特定する。
【００６１】
図３を参照すると、一般的なコンピュータシステム４００の実施形態が示されている。コンピュータシステム４００には、本明細書で開示された方法又は一組の指令が含まれ、これが実行されることで、コンピュータ４００が、コンピュータの基本的機能の一つ以上を実行することができる。コンピュータシステム４００は、単体の装置として作動し、または、例えばネットワークを用いて、他のコンピュータシステムまたは周辺機器に接続される。上記の構成要素はいかなるものも、コンピュータシステム４００、又は、コンピュータシステム４００における構成要素である。コンピュータシステム４００は、マーケティングシステム１００、又は、開示された実施形態の構成要素である、登録プロセッサ１０２、マーケティングコンテンツプロセッサ１１２、資金プロセッサ１１４、コンタクトプロセッサ１１６、ユーザー・インターフェース１１８、キャンペーンプロセッサ１２０のすべてを実装する。
【００６２】
ある実施形態では、開示されたシステムは、ウィンドウズ（登録商標）・アズール・プラットフォーム内での、マイクロソフト・ネット・フレームワーク４．０及びマイクロソフトＩＩＳ７ウェッブサービスを用いたプログラミングＣ言語において実行され、マイクロソフト・データセンターを通じて、ウェッブのアプリケーションを構築し、ホストし、拡大するために用いられるマイクロソフト・クラウド・プラットフォームである。ウィンドウズ（登録商標）・アズール・プラットフォームは、サービスとしてのプラットフォームに分類され、サービス提供としてのソフトウェアとともに、マイクロソフトクラウドコンピュータ戦略である、マイクロソフト・オンラインサービスの一部を形成する。当該プラットフォームは、マイクロソフト・データセンターにホストされ３つの製品ブランドを通じて共有化される多様なオンデマンド・サービスからなる。これらは、ウィンドウズ（登録商標）・アズール（大量の計算と保存の容易性を提供するオペレーティングシステム）、ＳＱＬアズール（ＳＱＬサーバーのクラウドに基づくスケールアウト版）及びウィンドウズ（登録商標）・アズール・アップファブリック（クラウド及びオンプレミス（on premise）におけるアプリケーションをサポートするサービス群）である。ウィンドウズ（登録商標）アズールプラットフォームは、デベロッパーがウィンドウズ（登録商標）・アズールによって提供されるサービスに触れることができるようにするＲＥＳＴ、ＨＴＴＰ及びＸＭＬに構築されたＡＰＩを提供する。
【００６３】
ネットワーク展開において、コンピュータシステム４００は、サーバーの容量において、または、クライアント・サーバー・ユーザーネットワーク環境におけるクライアント・ユーザー・コンピュータとして、または、ピア・ツー・ピア・ネットワーク環境におけるピア・コンピュータ・システムとして、作動する。コンピュータシステム４００は、パソコン、タブレットコンピュータ、セットトップボックス（ＳＴＢ）、携帯端末（ＰＤＡ）、携帯装置、パームトップコンピュータ、ラップトップコンピュータ、デスクトップコンピュータ、通信装置、無線電話、固定電話、コントロールシステム、カメラ、スキャナー、ファックス機器、プリンター、ポケットベル、パーソナル・トラスト・デバイス、ウェッブ・アプライアンス、ネットワークルーター、スイッチ又はブリッジ、その他当該機器が取りうる行動を定める一組の指令（順次その他）を実行できる機器として実行され又は、それらに組み入れられる。特定の実施形態では、コンピュータシステム４００は、声、ビデオまたはデータによるコミュニケーションを提供する電子機器を用いて実行される。更に、単一のコンピュータシステム４００が示され、「システム」という用語が、一つ以上のコンピュータ機能を実行する一組または多数組を個別または連動して実行する、システムまたはサブシステムの集合体が含まれるように用いられる。
【００６４】
別の実施形態では、別のシステム１００がマーケティングシステムによって、複数のマーケティングネットワークの複数の参加者１０４ａ乃至１０４ｎの間における複数のマーケティング活動の集中型管理を容易にするために実行され、複数のマーケティング活動には、マーケティングコンテンツが提示される一人以上の消費者１０６ａ乃至１０６ｎの決定及びそれに対するマーケティングコンテンツの提供が少なくとも含まれる。当該システム１００には、第１の参加カテゴリーあるいは第２の参加カテゴリーのうちの一つにあるとして、複数の参加者１０４ａ乃至１０４ｎの各々をマーケティングシステムとともに登録するように作動する登録プロセッサ１０２が含まれ、第１の参加カテゴリーに登録される参加者１０４には、一人以上の消費者に販売するための一つ以上の製品又はサービスの提供元が含まれ、第２の参加カテゴリーに登録される参加者１０４には、一人以上の消費者の少なくとも一部に対して一つ以上の製品又はサービスのリセラーが含まれる。当該システムには、また、登録プロセッサ１０２に接続し、複数の参加者登録を保存するように作動するメモリー１１０に保存されるデータベース１０８が含まれ、複数の参加者記録１３２の各々は、複数の登録済み参加者１０４ａ乃至１０４ｎのうちの一つに関連し、関連する参加者１０４を第１の参加カテゴリーまたは第２の参加カテゴリーに登録されたものとして関連する参加者１０４を特徴づける参加者データを保存し、複数の参加者記録１３２の各々は、更に、複数のマーケティングネットワークの少なくとも一つに属する関連する参加者を示すネットワークデータを保存する。当該システムにはコンタクトプロセッサ１１６が含まれるが、コンタクトプロセッサ１１６はメモリー１１９に接続し、コンタクトデータ１４２及びそれに関連するコンタクト規則１４４を第１の参加カテゴリーに登録済みの参加者１０４から受け取り、データベース１０８にコンタクトデータ１４２及びコンタクト規則１４４を保存し、保存されたコンタクトデータに対するアクセスを、コンタクト規則に従い、他の登録済み参加者の少なくとも第１の集団に許容するように作動する。この様に、当該システム１００は、提供者の支援をし、例えば、接続情報をそのマーケティングネットワークに提供するが、上記のように、マーケティングコンテンツ又は資金を提供しない。個の実行においては、当該システム１００は、マーケティングネットワーク参加者１０４ａ乃至１０４ｎの間でコンタクトデータ１４２を交換することのみを容易にし、マーケティングコンテンツまたは資金調達を扱う機能性の実施を要求したりしなかったりする。ある実施形態では、コンタクトデータ１４２には、マーケティングコンテンツを提示する一人以上の消費者１０６ａ乃至１０６ｎの識別が含まれ、コンタクト規則１４４は、一人以上の消費者１０６ａ乃至１０６ｎの第１の集団を識別するコンタクトデータの少なくとも一部が他の登録済み参加者１０４ａ乃至１０４ｎの第１の集団の一人の参加者が独占的にアクセスし、マーケティングコンテンツを一人以上の消費者１０６ａ乃至１０６ｎに提示する第１の期間と、一人以上の消費者１０６ａ乃至１０６ｎの第２の集団を識別するコンタクトデータ１４２の少なくとも一部が、マーケティングコンテンツの提示に続いて、他の登録済み参加者１０４ａ乃至１０４ｎの第１の集団の一人の参加者によって独占的にアクセスされる第２の期間と、一人以上の消費者の第３の集団を識別するコンタクトデータ１４２の少なくとも一部に、提示されたマーケティングコンテンツに関心を示す一人以上の消費者の第３の集団への当該マーケティングコンテンツの提示に続いて、他の登録済み参加者１０４ａ乃至１０４ｎの第１の集団の一人が独占的にアクセスする第３の期間あるいはそれらの組み合わせを定める。例えば、このために、マーケティングプログラムに関連するように、提供者がチャネルコンフリクトを管理できるようになる。例えば、リセラー間で潜在的消費者を分別することで、リセラーの二重の手間を回避し、続けてコントロールを維持し、リセラーが必要なマーケティング活動に能動的に従事することを保証する。
【００６５】
開示された別の実施形態には、マーケティングシステム１００によって、複数のマーケティングネットワークの複数の参加者１０４ａ乃至１０４ｎ間の複数のマーケティング活動の集中型管理を容易にするためのコンピュータ実行方法が含まれ、複数のマーケティング活動は、マーケティングコンテンツが提示される一人以上の消費者１０６ａ乃至１０６ｎの決定、及びそれに対するマーケティングコンテンツの提供を少なくとも有する。オペレーションには、次のものが含まれる。まずは、プロセッサによって、複数の参加者１０４ａ乃至１０４ｎの各々を第１の参加カテゴリー又は第２の参加カテゴリーのうちの一つにあるものとして、マーケティングシステム１００に登録することである。これにおいては、第１の参加カテゴリーに登録済みの参加者１０４は、一人以上の消費者１０６ａ乃至１０６ｎに対して販売するために一つ以上の製品又はサービスの提供元を含み、第２の参加カテゴリーに登録済みの参加者１０４は、一人以上の消費者１０６ａ乃至１０６ｎの少なくとも一部に対して、一つ以上の製品又はサービスのリセラーを含む。さらに、メモリー１１０に保存され、複数の参加登録記録を保存するように作動するデータベース１０８を提供することであり、複数の参加者記録は各々、複数の登録済み参加者１０４ａ乃至１０４ｎのうちの一人に関連し、第１または第２の参加カテゴリーのうちの一つに登録されるものとして、関連する参加者１０４を特徴づける参加者データを保存することであるが、当該複数の参加者記録の各々は、更に、複数のマーケティングネットワークの少なくとも一つに属する関連する参加者１０４を示すネットワークデータをさらに保存する。そして、コンタクトデータ１４２及びそれに関連するコンタクト規則１４４を第１の参加カテゴリーに登録された参加者１０４から受け取り、データベース１０８にコンタクトデータ１４２及びコンタクト規則１４４を保存し、保存されたコンタクトデータに対するアクセスを、コンタクト規則に従って、他の登録済み参加者１０４ａ乃至１０４ｎの第１の集団に許容することである。上記の通り、コンタクトデータ１４２には、マーケティングコンテンツを提示する一人以上の消費者１０６ａ乃至１０６ｎの識別が含まれ、当該コンタクト規則１４４は、一人以上の消費者１０６ａ乃至１０６ｎの第１の集団を識別するコンタクトデータ１４２の少なくとも一部が、一人以上の消費者１０６ａ乃至１０６ｎの第１の集団にマーケティングコンテンツを提示するため他の登録済み参加者１０４ａ乃至１０４ｎの第１の集団の参加者１０４によって独占的にアクセスされる第１の期間と、一人以上の消費者１０６ａ乃至１０６ｎの第２の集団を識別するコンタクトデータ１４２の少なくとも一部が、一人以上の消費者１０６ａ乃至１０６ｎの第２の集団へのマーケティングコンテンツの提示に続いて、他の登録済み参加者１０４ａ乃至１０４ｎの第１の集団の登録済み参加者１０４により独占的にアクセスされる第２の期間と、一人以上の消費者１０６ａ乃至１０６ｎの第３の集団を識別するコンタクトデータ１４２の少なくとも一部が、提示されたマーケティングコンテンツに関心を示した一人以上の消費者１０６ａ乃至１０６ｎの第３の集団に対するマーケティングコンテンツの提示に続いて、他の登録済み参加者１０４ａ乃至１０４ｎの第１の集団の参加者１０４により独占的にアクセスされる第３の期間又はそれらの組み合わせを定める。
【００６６】
図３に示すように、コンピュータシステム４００には、例えば、中央処理装置（ＣＰＵ）またはグラフィックス・プロセッシング・ユニット（ＧＰＵ）あるいは双方のプロセッサ４０２が含まれる。プロセッサ４０２は、多様なコンピュータシステムの構成要素である。例えば、プロセッサ４０２は、標準パソコンあるいはワークステーションの一部である。プロセッサ４０２は、一つ以上の一般的プロセッサ、デジタル・シグナル・プロセッサ、特定用途向集積回路、フィールド・プログラマブル・ゲート・アレイ、サーバー、デジタル回路、アナログ回路、それらの組み合わせ、その他データ分析処理のためのすでに公知または後に開発された装置である。プロセッサ４０２は、プログラミング等の手入力で生み出されたコード等のソフトウェアプログラムを実行する。
【００６７】
コンピュータシステム４００には、バス４０８を通じて伝達するメモリー４０４が含まれる。メモリー４０４は、メイン・メモリー、スタティック・メモリーまたはダイナミックメモリーである。メモリー４０４には、多様なタイプの揮発性及び不揮発性記憶装置等、コンピュータ可読性記憶装置が含まれるがこれに限定されず、また、ランダム・アクセス・メモリー、ＲＯＭ、プログラマブルＲＯＭ、消去可能ＰＲＯＭ、電気的消去可能ＲＯＭ、フラッシュメモリー、磁気テープまたは磁気ディスク、光媒体等が含まれるが、これらに限定されない。ある実施形態には、メモリー４０４には、プロセッサ４０２のためのキャッシュメモリー、またはＲＡＭが含まれる。別の実施形態では、メモリー４０４は、プロセッサのキャッシュメモリー、システムメモリーあるいはその他メモリー等、プロセッサ４０２とは別である。メモリー４０４は、外部記憶装置又はデータ保存のためのデータベースである。例えば、ハードドライブ、コンパクト・ディスク（ＣＤ）、デジタル・ビデオ・ディスク（ＤＶＤ）、メモリーカード、メモリー・スティック、フロッピー（登録商標）ディスク、ユニバーサル・シリアル・バス（ＵＳＢ）記憶装置、その他データを保存するように作動する装置がある。図面あるいは本明細書に示された機能、行動またはタスクは、プログラム化したプロセッサ４０２がメモリー４０４に記憶される指示４１２を実行することで行われる。当該機能、活動又はタスクは、特定のタイプの指示、記憶装置、プロセッサ又は処理戦略とは別物であり、ソフトウェア、ハードウェア、集積回路、ファームウェア、マイクロコード等を操作し、単独または組み合わせて作動する。同様に、処理戦略には、多重処理、多重タスク処理、並行処理が含まれる。
【００６８】
示されているように、コンピュータシステム４００には、更に、液晶表示装置（ＬＣＤ）、有機発光ダイオード（ＯＬＥＤ）、フラットパネル表示装置、固体表示装置、ブラウン管（ＣＲＴ）、プロジェクター、プリンターその他決定された情報を出力するための現在公知または開発中の表示装置４１４が含まれる。当該表示装置４１４は、ユーザーがプロセッサ４０２の機能を見るためのインターフェースとして、または、特に、メモリー４０４又はドライブ装置４０６に保存されるソフトウェアとともにインターフェースとして作用する。
【００６９】
更に、コンピュータシステム４００には、ユーザーがシステム４００のいかなる構成要素と影響しあうことができるように構成された入力装置４１６が含まれる。入力装置４１６とは、マウス、ジョイスティック、タッチパネル、遠隔操作装置その他システム４００に影響を及ぼしあうように作動する装置等、テンキー、キーボード、または、カーソル制御装置である。
【００７０】
図３に示すように、特定の実施形態では、コンピュータシステム４００には、また、ディスクドライブ装置または光学式ドライブ装置４０６が含まれる。ディスクドライブ装置４０６には、コンピュータ可読媒体４１０が含まれ、例えばソフトウェア等の一組以上の指令４１２が埋め込まれている。更に、指令４１２は、本明細書で述べたような一つ以上の方法または論理を具現化する。特定の実施形態では、指令４１２は、コンピュータシステム４００による実行の間、メモリー４０４及び／又はプロセッサ４０２内に完全に又は部分的に存在する。メモリー４０４及びプロセッサ４０２は、また、上記のようにコンピュータ可読媒体が含まれる。
【００７１】
本開示は、指令４１２を含み、伝播した信号に反応する指令４１２を受け取り実行するコンピュータ可読媒体を考慮に入れており、ネットワーク４２０に接続した装置は、ヴォイス、ビデオ、オーディオ、画像その他ネットワーク４２０上のデータを伝達することができる。更に、指令４１２は、通信インターフェース４１８を経由してネットワーク４２０上で伝達し、受領する。通信インターフェース４１８は、プロセッサ４０２の一部であるか、別の構成要素である。通信インターフェース４１８は、ソフトウェア内で創られるか、ハードウェアにおける物理的接続である。通信インターフェース４１８は、ネットワーク４２０、外部媒体、表示装置４１４その他システム４００における構成要素又はそれらの組み合わせに接続するように構成されている。ネットワーク４２０との接続は、有線のイーサーネット接続等の物理的接続であるか、以下に述べるように無線で構築される。同様に、システム４００の他の構成要素との追加の接続は物理的接続であるか、無線で構築される。
【００７２】
ネットワーク４２０には、有線のネットワーク、無線のネットワーク又はそれらの組み合わせが含まれる。無線のネットワークは、携帯電話ネットワーク、８０２．１１、８０２．１６、８０２．２０又はＷｉＭａｘネットワークである。更に、ネットワーク４２０は、インターネット等の公衆のネットワーク、イントラネット等の私的なネットワークもしくはそれらの組み合わせであり、ネットワークプロトコルに基づくＴＣＰ／ＩＰを含む（これに限定されない）現在利用可能であるか開発中の多様なネットワークプロトコルを利用する。
【００７３】
コンピュータ可読媒体は、単一の媒体であると示されているが、「コンピュータ可読媒体」という用語には、集約型または分散型データベース及び／又は一組以上の指令を保存するキャッシュ又はサーバー等の単一媒体又は多重媒体が含まれる。「コンピュータ可読媒体」という用語には、また、プロセッサによる実行のための一組の指令を保存し、コード化し、実行することができ、そのためコンピュータシステムが本明細書で開示した一つ以上の方法又は操作を実行できる媒体が含まれる。
【００７４】
特定の実施形態（それに限定されない）では、コンピュータ可読媒体には、一つ以上の不揮発性のＲＯＭを収容しているメモリーカードその他のパッケージ等の固定型メモリーが含まれる。更に、コンピュータ可読媒体は、ＲＡＭ又は他の揮発的再書き込み可能メモリーである。又は、コンピュータ可読媒体は、ディスク、テープその他伝達媒体上の単一通信等の搬送波信号を捕らえる装置等、磁気光学又は光学媒体を含む。電子メールその他内蔵型情報アーカイブ又はアーカイブの組に添付したデジタルファイルは、目に見える保存媒体である配布媒体と考えられる。それ故、当該開示には、コンピュータ可読媒体又は配布媒体その他等価物及び後継媒体の一つ以上が含まれると考えられ、そこに、データ又は指令が保存される。
【００７５】
他の実施形態では、集積回路特有のアップリケーション、プログラム可能の論理アレイその他ハードウェア等、専用のハードウェアの実装は、本明細書に記載されている一つ以上の方法を実施すると考えられている。多様な実施形態の装置及びシステムが含まれるアプリケーションは、広く、多様な電子的コンピュータシステムを含む。本明細書に記載される一つ以上の実施形態は、モジュール間及びモジュールを通じて、ＡＳＩＣ（ａｐｐｌｉｃａｉｔｏｎ  ｓｐｅｃｉｆｉｃ  ｉｎｔｅｇｒａｔｅｄ  ｃｉｒｃｕｉｔ）の一部として、意思伝達可能な関連するコントロール・データ・シグナルを有する２つ以上の特定の相互連絡ハードウェア・モジュール又は装置を用いて、機能を実行する。それ故、システムは、ソフトウェア、ファームウェア及びハードウェアの実装を含む。
【００７６】
本開示の多様な実施形態に従い、本明細書に記載される方法は、コンピュータシステムによって実行可能なソフトウェアプログラムによって実行される。更に、非限定の実施形態では、実行には、分散処理、構成要素／客体分散処理、及び並行処理が含まれる。又は、仮想のコンピュータシステム処理が、本明細書で記載されている、一つ以上の方法又は機能を実行すると解釈することができる。
【００７７】
本明細書は、特定の規格及びプロトコルに関して、特定の実施形態において実行される構成要素及び機能について記載するが、本発明は、当該規格及びプロトコルに限定されない。例えば、インターネットその他のパケット交換伝送ネットワーク（例えば、ＴＣＰ／ＩＰ、ＵＤＰ／ＩＰ、ＨＴＭＬ、ＨＴＴＰＳ）の規格は、最新の実例を表す。当該規格は、本質的には同様の機能を有する、より速くより有効な等価物に定期的に取って代わられる。それ故、本明細書で開示されたものと同様又は類似の機能を有する代わりの規格及びプロトコルは、その等価物と考えられる。
【００７８】
本明細書に記載される実施形態の図示は、多様な実施形態の概括的理解を提供することを意図する。図示は、本明細書で述べた構造又は方法を利用する装置及びシステムの構成要素及び特徴の全てを完全に記述するものを意図していていない。他の多くの実施形態は、当業者にとって、本開示を検討して明らかである。他の実施形態は、本開示から利用され派生するものであり、構造的、論理的代用及び変更は、本開示の範囲を逸脱するはない。更に、図は、単に表示にすぎず、原寸大で描かれていない。図の特定の部分は誇大され、他の部分は縮小されている。それ故、本開示及び図は、限定の為というよりは、むしろ図示の為とみなされる。
【００７９】
本開示の一つ以上の実施形態が、本明細書に、個別的に、及び／又はまとめて、便宜上、特定の発明又は発明の概念への適用範囲を自発的に制限する意図はなく、「発明」という用語で述べられている。更に、特定の実施形態が本明細書で図示され記述されているが、同じまたは類似した目的を達成するために企図された後続の配列が、図示された特定の実施形態に代わるものであることが分かる。本開示は、多様な実施形態の後続のいかなる適用又は変更物を含むことを意図している。上記の実施形態及びその他本明細書では特に述べられていない実施形態の組み合わせは、本明細書を検討し、当業者には明らかである。
【００８０】
本開示の要約書が、連邦特許規則１．７２（ｂ）条（３７Ｃ.Ｆ.Ｒ.１．７２（ｂ））に従って提供されるが、特許請求の範囲の範囲及び意味を解釈し、限定するために用いられていないことの理解で提出されている。更に、先の詳細の説明においては、多様な特徴が、本開示を簡素化するために単一の実施形態でまとめられ、記述されている。本開示は、請求項で主張された実施形態が、各請求項で明瞭に引用される以上の特徴を要求する意図を反映するものとして解釈されない。むしろ、以下の請求項が反映するように、発明の主題は、決して、開示された実施形態の全ての特徴に向けられるものではない。このように、以下の特許請求の範囲は、詳細な説明に組み込まれ、各請求項は、個別に請求項で主張された主題を定義するものとして、主張するものである。
【００８１】
それ故、前記の詳細な説明は、限定というよりはむしろ説明のためのものであり、すべての等価物を含めて、以下の特許請求の範囲こそが本発明の精神と範囲を定めるものであることを理解されることを意図するものである。
【図１】
0005650868.tif 000002
【図２】
0005650868.tif 000003
【図３】
0005650868.tif 000004